(57)【特許請求の範囲】
【請求項１】
リードインエリアに物理フォーマットに関するデータが記録された物理フォーマット管理情報が記録され、データエリアに前記物理フォーマット管理情報に準拠して特定の第１のデータフォーマットのデータ、及びこのデータの再生動作管理を行なうための第１のデータ管理情報を記録することができる記録媒体であって、
前記物理フォーマット管理情報に、前記第１のデータフォーマットとは異なる第２のデータフォーマットのデータが記録されたことを示す識別データが記録されるとともに、前記物理フォーマット管理情報に準拠して第２のデータフォーマットのデータがデータエリアに記録され、さらにこの第２のデータフォーマットのデータの再生動作管理を行なうための第２のデータ管理情報が所定位置に記録されたことを特徴とする記録媒体。
【請求項２】
前記第２のデータ管理情報はリードインエリア内に記録されることを特徴とする請求項１に記載の記録媒体。
【請求項３】
前記データエリアには、第１のデータフォーマットのデータ及び第１のデータ管理情報が記録された領域と、少なくとも第２のデータフォーマットのデータが記録された領域の両方が設けられており、
前記物理フォーマット管理情報には、前記第１のデータフォーマットと第２のデータフォーマットのデータの両方が記録されたことを示す識別データが記録されていることを特徴とする請求項１に記載の記録媒体。
【請求項４】
前記第２のデータ管理情報には、前記第２のデータフォーマットのデータについて、そのデータ単位毎の記録位置情報が記録されていることを特徴とする請求項１に記載の記録媒体。
【請求項５】
前記第２のデータ管理情報には、前記第２のデータフォーマットのデータの各データ単位毎に対応した付加情報が記録されていることを特徴とする請求項１に記載の記録媒体。
【請求項６】
前記第２のデータ管理情報には、前記第２のデータフォーマットのデータの各データ単位のそれぞれに対応して、その一部のみの記録位置情報が記録されていることを特徴とする請求項１に記載の記録媒体。
【請求項７】
前記第２のデータ管理情報は、前記第２のデータフォーマットのデータについて、最高１００個のデータ単位の管理が可能となるように形成されていることを特徴とする請求項１に記載の記録媒体。
【請求項８】
前記第２のデータ管理情報には、前記第１及び第２のデータフォーマットとは異なる第３のデータフォーマットのデータが記録された領域の位置情報が記録されるとともに、前記データエリアにおける当該位置情報に示される領域には、第３のデータフォーマットのデータ、及びそのデータの再生動作管理を行なう第３のデータ管理情報が記録されていることを特徴とする請求項１に記載の記録媒体。
【請求項９】
前記第３のデータ管理情報は、前記第２のデータ管理情報に記録されている第３のデータフォーマットのデータが記録された領域の位置情報に示される位置を基準とした、特定位置に記録されていることを特徴とする請求項８に記載の記録媒体。
【請求項１０】
前記第２のデータフォーマットのデータは、ΔΣ変調された１ビットオーディオ信号としてのデータであることを特徴とする請求項１に記載の記録媒体。
【請求項１１】
当該記録媒体に記録される少なくとも前記第２のデータフォーマットのデータは、セクター構成がとられているとともに、このセクターには、ΔΣ変調された１ビットオーディオ信号に割り当てられるメインデータ領域と、サブデータに割り当てられるサブデータ領域が含まれるように設定されていることを特徴とする請求項１０に記載の記録媒体。
【請求項１２】
前記セクターには２０４８バイトのデータ領域が形成されているとともに、そのうちで前記メインデータ領域は２０１６バイト、前記サブデータ領域は３２バイトとされていることを特徴とする請求項１１に記載の記録媒体。
【請求項１３】
前記第２のデータフォーマットのデータであるΔΣ変調された１ビットオーディオ信号は２チャンネルオーディオデータとされ、各チャンネルデータは８ビット毎に交互に、記録セクター内の前記２０１６バイトのデータとして割り当てられていることを特徴とする請求項１２に記載の記録媒体。
【請求項１４】
前記第２のデータフォーマットのデータであるΔΣ変調された１ビットオーディオ信号は、６チャンネルオーディオデータとされ、各チャンネルデータは８ビット毎に所定の順番に、記録セクター内の前記２０１６バイトのデータとして割り当てられているとともに、６チャンネルのうちの複数の特定のチャンネルに相当するデータについては、その他のチャンネルに相当するデータとは異なる所定ゲインが与えられた値とされていることを特徴とする請求項１２に記載の記録媒体。
【請求項１５】
リードインエリアに物理フォーマットに関するデータが記録された物理フォーマット管理情報が記録され、データエリアに前記物理フォーマット管理情報に準拠して特定の第１のデータフォーマットのデータ、及びこのデータの再生動作管理を行なうための第１のデータ管理情報を記録することができる記録媒体であって、前記物理フォーマット管理情報に、前記第１のデータフォーマットとは異なる第２のデータフォーマットのデータが記録されたことを示す識別データが記録されるとともに、前記物理フォーマット管理情報に準拠して第２のデータフォーマットのデータをデータエリアに記録することができ、さらにこの第２のデータフォーマットのデータの再生動作管理を行なうための第２のデータ管理情報を所定位置に記録することができる記録媒体に対応する再生装置として、
装填された記録媒体に対して情報読出動作を実行できる読出手段と、
前記読出手段によって装填された記録媒体から読み出される前記物理フォーマット管理情報から、前記第２のデータフォーマットのデータが記録されているか否かを判別する判別手段と、
前記判別手段によって前記第２のデータフォーマットのデータが記録されていると判別された場合は、前記読出手段に前記第２のデータ管理情報の読出を実行させ、第２のデータ管理情報を取り込むとともに、この第２のデータ管理情報に基づいて前記読出手段に第２のデータフォーマットのデータの読出動作を実行させることのできる再生制御手段と、
前記読出手段により読み出された第２のデータフォーマットのデータのデコードを行なう第２フォーマット対応デコード手段と、
を備えて構成されることを特徴とする再生装置。
【請求項１６】
前記再生制御手段は、前記読出手段に、記録媒体のリードインエリア内に記録されている第２のデータ管理情報の読出を実行させることを特徴とする請求項１５に記載の再生装置。
【請求項１７】
前記再生制御手段は、前記判別手段によって前記第１のデータフォーマットのデータが記録されていると判別された場合に、前記読出手段に読み出される前記第１のデータ管理情報に基づいて前記読出手段に第１のデータフォーマットのデータの読出を実行させることができるとともに、
前記読出手段により読み出された第１のデータフォーマットのデータのデコードを行なう第１フォーマット対応デコード手段を備えて構成されることを特徴とする請求項１５に記載の再生装置。
【請求項１８】
前記再生制御手段は、第２のデータ管理情報に記録されているデータ単位毎の記録位置情報に応じて、第２のデータフォーマットのデータについて、そのデータ単位毎の読出動作を前記読出手段に実行させることができるように構成されていることを特徴とする請求項１５に記載の再生装置。
【請求項１９】
情報提示出力手段を備え、
前記再生制御手段は、第２のデータ管理情報において各データ単位毎に対応して記録されている付加情報を、前記情報提示出力手段から出力させることができるように構成されていることを特徴とする請求項１５に記載の再生装置。
【請求項２０】
前記再生制御手段は、第２のデータ管理情報に記録されている、第２のデータフォーマットのデータの各データ単位のそれぞれの一部のみの記録位置情報に応じて、前記読出手段に、所要のデータ単位の一部のデータ読出動作を実行させることができるように構成されていることを特徴とする請求項１５に記載の再生装置。
【請求項２１】
前記再生制御手段は、取り込んだ第２のデータ管理情報において前記第１及び第２のデータフォーマットとは異なる第３のデータフォーマットのデータが記録された領域の位置情報が記録されていた場合は、その位置情報に基づいて、前記読出手段に、第３のデータフォーマットのデータの再生動作管理を行なう第３のデータ管理情報の読出を実行させ、さらにその第３のデータ管理情報に基づいて前記読出手段に第３のデータフォーマットのデータの読出を実行させることができるとともに、
前記読出手段により読み出された第３のデータフォーマットのデータのデコードを行なう第３フォーマット対応デコード手段を備えて構成されることを特徴とする請求項１５に記載の再生装置。
【請求項２２】
前記第３のデータ管理情報の読出のために、前記再生制御手段は、前記読出手段に、前記第２のデータ管理情報に記録されている第３のデータフォーマットのデータが記録された領域の位置情報に示される位置を基準とした特定位置の読出を実行させることを特徴とする請求項２１に記載の再生装置。
【請求項２３】
前記第２フォーマット対応デコード手段は、ΔΣ変調された１ビットオーディオ信号としてのデータに対するデコーダを有して構成されることを特徴とする請求項１５に記載の再生装置。
【請求項２４】
前記第２のデータフォーマットのデータは、セクター構成がとられているとともに、このセクターには、ΔΣ変調された１ビットオーディオ信号に割り当てられるメインデータ領域と、サブデータに割り当てられるサブデータ領域が含まれるように設定されおり、
前記第２フォーマット対応デコード手段は、セクターのサブデータ領域に記録されたサブデータのデコーダを有して構成されることを特徴とする請求項２３に記載の再生装置。
【請求項２５】
前記第２フォーマット対応デコード手段は、デコード処理により２チャンネルオーディオ信号の出力を行なうことができるように構成されているとともに、
前記読出手段によって６チャンネルオーディオデータが読み出された場合は、６チャンネルデータについて同一ゲイン状態で、所要チャンネルデータの加算処理を行なって２チャンネルとなる各チャンネルのデータを形成し、２チャンネルオーディオ信号の出力を行なうことを特徴とする請求項１５に記載の再生装置。
【請求項２６】
前記第２フォーマット対応デコード手段は、デコード処理により６チャンネルオーディオ信号の出力を行なうことができるように構成されているとともに、
前記読出手段によって読み出される６チャンネルオーディオデータのうち、複数の特定のチャンネルに相当するデータについては、その他のチャンネルに相当するデータとは異なる所定ゲインを与えたうえで、６チャンネルオーディオ信号の出力を行なうことを特徴とする請求項１５に記載の再生装置。
【発明の詳細な説明】
【０００１】
【発明の属する技術分野】
本発明は特定の物理フォーマットが規定された例えばディスク記録媒体及びそれに対応する再生装置に関するものである。
【０００２】
【従来の技術】
近年、ディスクやテープなどの記録媒体の高密度化や、音楽、映像、コンピュータデータなどのデータユース形態の多様化などにより、多種多様な記録媒体及び記録・再生装置が実用化されている。
【０００３】
ディスクメディアとしては、ＣＤ（コンパクトディスク）方式のものとしてＣＤ−ＤＡ（ＣＤデジタルオーディオ）、ＣＤ−Ｇ、ＣＤ−Ｉ、ＣＤ−ＷＯ、ビデオＣＤ、ＣＤ−ＲＯＭなどが知られている。さらに、ＣＤエキストラといわれるように、ＣＤ−ＤＡデータエリアとＣＤ−ＲＯＭデータエリアが分割設定されているものもある。
また音楽やコンピュータデータをユーザーサイドで手軽に記録再生できる光磁気ディスクメディアとしてＭＤ（ミニディスク）、ＭＤデータなどが普及している。
【０００４】
さらにビデオデータ、オーディオデータ、コンピュータデータを扱うマルチメディアディスクとしてＤＶＤ（Digital Video Disc／Digital Versatile Disc）も開発されている。
【０００５】
【発明が解決しようとする課題】
ところでＤＶＤなどの新規なメディアシステムの開発に当たっては、既に実用化されているメディアシステムの問題点を解消することや、既に実用化されているメディアシステムでの利点を継承し、発展させることが求められる。
ここで従来の各種システムにおいてそれぞれの問題点は多いが、一例としては次のようのものがある。
【０００６】
まずデジタルオーディオデータの記録再生システムに関しては、メディアの大容量化、高転送レート化に伴って、現行のＣＤ−ＤＡ規格である44.1KHz サンプリング、１６ビット量子化に対して、よりハイビット／ハイサンプリング化されたデジタルオーディオ記録再生システムが各種開発されているが、次世代オーディオシステムとするに十分な結果は得られていない。
【０００７】
例えばＣＤ−ＤＡ規格の場合は、サンプリングレートの制限により２２ＫＨｚ以上の周波数帯域がフィルタリングされることで、本来音声に含まれている高調波がカットされたデータとなり、このため自然感に乏しいといったような音質劣化があった。このため、例えば９６ＫＨｚサンプリング、２４ビット量子化というような規格が提案されているが、高調波が制限されることによる音質劣化は免れない。
【０００８】
さらに、ＣＤ−ＤＡシステムにおいて、アナログ音声信号を１ビットΣΔ変調Ａ／Ｄ変換器によりサンプリング周波数６４ｆｓ／１ビットに変換するものがある（ｆｓ＝44.1KHz ）。ところがＣＤ−ＤＡに記録するためには、このような６４ｆｓ／１ビット信号をデジタルフィルタでデシメーション（ダウンサンプリング）することで、44.1KHz ／１６ビットのデータに変換する必要がある。また再生時には、44.1KHz ／１６ビットのデータをデジタルフィルタによりオーバーサンプリング・補間を行なって例えば６４ｆｓ／１ビット信号とし、それを１ビットΣΔ変調Ｄ／Ａ変換器でアナログ音声信号に戻している。このようなシステムの場合、データがデジタルフィルタを通過する過程で演算誤差が生じ、これによる音質劣化が発生する。
【０００９】
また、ＣＤ−ＤＡを初めとするＣＤメディアが多様に展開されているなど、各種のパッケージメディアが存在するが、データの共通化や互換性等については十分とはいえない状況にある。
【００１０】
【課題を解決するための手段】
本発明はこれらの問題点を解消するメディアシステムの提供を目的とし、特にオーディオデータ記録／再生の高音質化、データ共用性、機器互換性などを、例えばＤＶＤなどの特定の物理フォーマットにのっとった記録媒体において実現するものである。
【００１１】
このためリードインエリアに物理フォーマットに関するデータが記録された物理フォーマット管理情報が記録され、データエリアに物理フォーマット管理情報に準拠して特定の第１のデータフォーマットのデータ、及びこのデータの再生動作管理を行なうための第１のデータ管理情報を記録することができる記録媒体において、物理フォーマット管理情報に、第１のデータフォーマットとは異なる第２のデータフォーマットのデータが記録されたことを示す識別データを記録する。そして物理フォーマット管理情報に準拠して第２のデータフォーマットのデータがデータエリアに記録され、さらにこの第２のデータフォーマットのデータの再生動作管理を行なうための第２のデータ管理情報が所定位置に記録されるようにする。
【００１２】
第２のデータ管理情報には、例えば第２のデータフォーマットのデータのデータ単位毎の記録位置情報、付加情報、一部再生のための記録位置情報等が記録されるようにする。
第２のデータフォーマットのデータは、ΔΣ変調された１ビットオーディオ信号としてのデータであるとする。
【００１３】
またデータエリアに、第１のデータフォーマットのデータ及び第１のデータ管理情報が記録された領域と、少なくとも第２のデータフォーマットのデータが記録された領域の両方が設けられる場合は、物理フォーマット管理情報には、第１のデータフォーマットと第２のデータフォーマットのデータの両方が記録されたことを示す識別データが記録されているようにする。
【００１４】
また第２のデータ管理情報には、第１及び第２のデータフォーマットとは異なる第３のデータフォーマットのデータが記録された領域の位置情報が記録されるとともに、データエリアにおける、その位置情報に示される領域には、第３のデータフォーマットのデータ、及びそのデータの再生動作管理を行なう第３のデータ管理情報が記録されているようにする。
【００１５】
これらの記録媒体に対応する再生装置としては、装填された記録媒体に対して情報読出動作を実行できる読出手段と、装填された記録媒体から読み出される物理フォーマット管理情報から第２のデータフォーマットのデータが記録されているか否かを判別する判別手段と、第２のデータフォーマットのデータが記録されていると判別された場合は第２のデータ管理情報の読出を実行させ、第２のデータ管理情報を取り込むとともに、この第２のデータ管理情報に基づいて読出手段に第２のデータフォーマットのデータの読出動作を実行させることのできる再生制御手段と、読み出された第２のデータフォーマットのデータのデコードを行なう第２フォーマット対応デコード手段とを備えるようにする。
【００１６】
また再生制御手段は、判別手段によって第１のデータフォーマットのデータが記録されていると判別された場合に、読出手段に読み出される第１のデータ管理情報に基づいて読出手段に第１のデータフォーマットのデータの読出を実行させることができるとともに、読み出された第１のデータフォーマットのデータのデコードを行なう第１フォーマット対応デコード手段を備えるようにする。
【００１７】
また再生制御手段は、取り込んだ第２のデータ管理情報において第１及び第２のデータフォーマットとは異なる第３のデータフォーマットのデータが記録された領域の位置情報が記録されていた場合は、その位置情報に基づいて、読出手段に、第３のデータフォーマットのデータの再生動作管理を行なう第３のデータ管理情報の読出を実行させ、さらにその第３のデータ管理情報に基づいて読出手段に第３のデータフォーマットのデータの読出を実行させることができるようにするとともに、読み出された第３のデータフォーマットのデータのデコードを行なう第３フォーマット対応デコード手段を備えるようにする。
【００１８】
【発明の実施の形態】
以下、本発明の実施の形態を次の順序で説明する。なお本例は、ＤＶＤ（Digital Video Disc／Digital Versatile Disc）システムとしての物理フォーマットに準拠したうえで提供される新たな記録媒体及びそれに対応する再生装置であるとする。
【００１９】
0003707137.tif 000002
【００２０】
［１］ＤＶＤ構造
図１にＤＶＤの構造を示す。マルチメディア用途のディスク状記録媒体であるＤＶＤには、図１（ａ）に示すように記録データによるピットが形成される記録層Ｌに対して上面及び下面が透過サブストレートＴＳとされているものと、図１（ｂ）に示すように記録データによるピットが形成される記録層が第１記録層Ｌ１と第２記録層Ｌ２として、接着層Ｚを介して２つ形成され、その第１記録層Ｌ１，第２記録層Ｌ２に対する上面及び下面が透過サブストレートＴＳとされているものがある。
【００２１】
図１（ａ）のような記録層Ｌが１つのものはシングルレイヤディスク、図１（ｂ）のような第１記録層Ｌ１，第２記録層Ｌ２と２つの記録層をもつものはデュアルレイヤディスクと呼ばれる。
【００２２】
ディスク直径としては、シングルレイヤディスクもデュアルレイヤディスクも１２ｃｍと８ｃｍのものが考えられている。
そしてディスク上は大きくわけて、内周側からリードイン、データエリア、リードアウトとよぶ３つの領域が形成されている。
リードインが開始される位置としての最大直径は45.2mmと規定され、またデータエリアが開始される位置としての最大直径は48mmと規定されている。
【００２３】
このようなＤＶＤには、データは２０６４バイトのセクターという単位でアドレス（セクターナンバ）が設定されて記録されている（セクターフォーマットについては後述する）。
図２にはシングルレイヤディスクを例にあげて、ディスク上の内周側から外周側までのリードイン、データエリア、リードアウトの各領域を帯状に示しているが、この全領域に対してセクターが形成されている。
【００２４】
セクターには、図２に示すように物理セクターという概念と論理セクターという概念があり、物理セクターとは、物理的に最初のセクターからナンバが与えられるものである。つまり物理セクターナンバＰＳＮとして示すようにリードインの開始位置における最初のセクターが物理セクターナンバ『００００００ｈ』とされる（本明細書において『ｈ』を付した数値は１６進表記のもの）。
【００２５】
通常、リードインの最後のセクターの物理セクターナンバＰＳＮは『０２ＦＦＦＦｈ』となり、物理セクターナンバＰＳＮが『０３００００ｈ』となるセクターからが、データエリアのセクターとなる。
このような物理セクターナンバＰＳＮは、ディスク上においていわゆる絶対アドレスとして機能する。
【００２６】
一方、論理セクターとはデータエリアの先頭セクター、つまり物理セクターナンバＰＳＮが『０３００００ｈ』となるセクターを最初のセクターとみなすもので、これが論理セクターナンバＬＳＮが『００００００ｈ』のセクターとなる。なお、リードアウトの開始される位置はデータエリアに記録されるデータ量に応じて変動するものであり、図２では論理セクターナンバＬＳＮ＝『ＬＯ』となるセクターがリードアウトの最初のセクターとしている。
【００２７】
論理セクターナンバＬＳＮで示されるエリア、即ち物理セクターナンバＰＳＮが『０３００００ｈ』となるセクター以降の、データエリアとしてのセクターにより、いわゆるボリューム空間が形成されるが、このボリューム空間は図３（ａ）のように形成されている。
【００２８】
論理セクターとしての第０〜第１５セクター、第２１〜第３１セクター、第６６〜第２５５セクターはリザーブ（未定）とされており、第１６〜第２０セクターにはＵＤＦ（ユニバーサルディスクフォーマット）ブリッジボリューム認識シーケンスが記録されている。
この５セクター分のＵＤＦブリッジボリューム認識シーケンスには、図３（ｂ）のようにＰＶＤ（プライマリボリュームディスクリプタ）、ボリュームディスクリプタセットターミネータ、エクステンドエリア開始ディスクリプタ、ＮＳＲディスクリプタ、エクステンドエリア終了ディスクリプタが記述されている。
【００２９】
また論理セクターとしての第３２〜第４７セクターにはメインボリューム記述シーケンス、続く第４８〜第６３セクターにはリザーブボリューム記述シーケンス、さらに第６４〜第６５セクターには論理ボリュームインテグリティシーケンスが記述されている。そして第２５６セクターが第１アンカーポイントとされる。
【００３０】
第２５７から第（Ｐ−１）セクターまではＩＳＯ９６６０ファイル構造とされ、また第（Ｐ）から第（Ｐ＋Ｑ−１）セクターまでがＵＤＦファイル構造となる。上記したＵＤＦブリッジボリューム認識シーケンスからこのＵＤＦファイル構造までのデータが、いわゆるファイル管理情報となり、実際のデータファイルやビデオデータ、オーディオデータ等、ＵＤＦもしくはＩＳＯ９６６０に準拠したデータ（ファイル・データ構造）は第（Ｐ＋Ｑ）番目のセクターからリードアウトの先頭セクターより２つ前のセクター（論理セクターナンバＬＳＮ＝『ＬＯ−２』）までに記録される。論理セクターナンバＬＳＮが『ＬＯ−１』とされるセクターは第２アンカーポイントとされる。
【００３１】
ボリューム空間はこのように用いられ、ＵＤＦブリッジボリューム認識シーケンスからこのＵＤＦファイル構造までのファイル管理情報と、ファイル・データ構造により、ビデオ／オーディオ／コンピュータデータを記録したパッケージメディアが生成される。
なお、ディレクトリ構造は図４のようになる。
【００３２】
ところで、上述したようにＤＶＤはシングルレイヤディスクとデュアルレイヤディスクの２つがあるが、さらにトラックパス（再生走査経路）によりデュアルレイヤディスクはパラレルトラックパスとオポジットトラックパスの２種類に分けられるため、ＤＶＤの物理的な種別としては大まかに３種類となる。この３種類を図５（ａ）（ｂ）（ｃ）に示す。
【００３３】
図５（ａ）はシングルレイヤディスクであるが、この場合トラックパスＴＰＳとしてはディスク内周側のリードインからディスク外周側のリードアウトに向かう１種類のみである。
【００３４】
図５（ｂ）はデュアルレイヤディスクであってパラレルトラックパスとされるものを示している。デュアルレイヤディスクの場合、図１の第１記録層Ｌ１に相当するレイヤ０と、第２記録層Ｌ２に相当するレイヤ１が形成されるわけであるが、パラレルトラックパスの場合は、レイヤ０とレイヤ１は互いに独立したレイヤととらえることができる。
【００３５】
即ち、レイヤ０とレイヤ１には、それぞれリードイン、データエリア、リードアウトが形成される。レイヤ０のデータエリア＃０と、レイヤ１のデータエリア＃１には、例えば同一内容のデータを異なる形態で記録してもよいし、全く異なるデータを記録してもよい。
【００３６】
そしてレイヤ０に対するトラックパスＴＰＳ＃０としては、レイヤ０のディスク内周側のリードインからデータエリア＃０を走査してディスク外周側のリードアウトに向かい、またレイヤ１に対するトラックパスＴＰＳ＃１は、レイヤ１のディスク内周側のリードインからデータエリア＃１を走査してディスク外周側のリードアウトに向かう。
つまり、独立した２つの同じトラックパスが各レイヤに対して行なわれることとなる。
【００３７】
図５（ｃ）はデュアルレイヤディスクであってオポジットトラックパスとされるものを示している。この場合、レイヤ０とレイヤ１は連続した１つのレイヤととらえられる。
即ち、レイヤ０の最内周側にはリードインが形成され、続いてデータエリア＃０が形成されるが、最外周側はミドルエリアと呼ばれる領域が形成される。
そしてレイヤ１については最外周側のミドルエリアから連続してデータエリア＃１が内周側に向かって形成され、最内周側にリードアウトが形成される。
【００３８】
そしてトラックパスＴＰＳとしては、レイヤ０のディスク内周側のリードインからデータエリア＃０を走査してディスク外周側のミドルエリアに向かい、ミドルエリアに達したら内周側へ向かう走査となしてデータエリア＃１の走査を行ない、ディスク内周側のリードアウトに向かうことになる。
つまりこの場合は、レイヤ０，１が連続した１つのレイヤとして扱われるものとなる。
【００３９】
［２］ＤＶＤセクターフォーマット
セクターは図６のような構造をもつ。
図６（ａ）は１セクターの全体を示し、１セクター（実際の記録セクターとしてエンコードされる前のセクター）は２０６４バイトで構成される。先頭の１２バイトはいわゆるセクターヘッダーとしての領域とされ、図６（ｂ）に拡大して示すように４バイトのＩＤ、２バイトのＩＤエラー訂正コードＩＥＤ（ID Error Detection Code ）が記録される。なお、残り６バイトはリザーブとされている。
【００４０】
このような１２バイトのセクターヘッダーに続いて２０４８バイトがデータ領域とされる。そして最後の４バイトはエラー訂正コードＥＤＣ（ Error Detection Code ）に割り当てられる。
【００４１】
エラー訂正コードＥＤＣは、ヘッダー及びデータ領域のデータに関するエラー訂正のためのコードとされ、その生成多項式はＧP(x)＝Ｘ32＋Ｘ31＋Ｘ4 ＋１とされている。
一方、ＩＤエラー訂正コードＩＥＤはヘッダ先頭４バイトのＩＤに対して付けられるエラー訂正のためのコードとされ、その生成多項式はＧP(x)＝Ｘ8 ＋Ｘ4 ＋Ｘ3 ＋Ｘ2 ＋１とされている。
【００４２】
ＩＤとされるヘッダ先頭４バイトを拡大したものが図６（ｃ）である。４バイト、即ちビットｂ０〜ｂ３１の３２ビットの領域において、ＩＤの内容としてセクター情報及びセクターナンバが記録されている。セクター情報はビットｂ２４〜ｂ３１、つまり先頭１バイトの記録され、セクターナンバはビットｂ０〜ｂ２３の３バイトの領域に記録される。セクターナンバはいわゆる絶対アドレスとなるナンバであり、つまり上述した物理セクターナンバＰＳＮのことである。
【００４３】
ビットｂ２４〜ｂ３１の１バイトのセクター情報としては、図６（ｄ）に示すようにセクターフォーマットタイプ、トラッキング方法、反射率、エリアタイプ、レイヤー番号が記録される。ビットｂ２８の１ビットはリザーブとされている。
【００４４】
ビットｂ３１の１ビットが用いられて記述されるセクターフォーマットタイプとしては、『０』がＲＯＭタイプ、『１』がリザーブ（未定）とされている。
ビットｂ３０の１ビットが用いられて記述されるトラッキング方法としては、『０』がピットトラッキング、『１』がリザーブとされている。
ビットｂ２９の１ビットが用いられて記述される反射率としては、『０』が５０％より上、『１』が５０％以下とされている。
【００４５】
ビットｂ２７，ｂ２６の２ビットが用いられて記述されるエリアタイプとしては、当該セクターが含まれるエリアが示されるもので、データエリア内のセクターでは『００』、リードイン内のセクターでは『０１』、リードアウト内のセクターでは『１０』、ミドルエリア内のセクターでは『１１』となる。
【００４６】
ビットｂ２５，ｂ２４の２ビットが用いられて記述されるレイヤー番号は、当該セクターが含まれるレイヤが示されるもので、シングルレイヤディスクのセクター及びデュアルレイヤディスクのレイヤ０のセクターは『００』、デュアルレイヤディスクのレイヤ１のセクターは『０１』となる。『１０』『１１』はリザーブとされている。
【００４７】
このようなセクターフォーマットが形成されていることにより、再生装置では、セクター単位のデータを読み込むことで絶対アドレス（物理セクターナンバＰＳＮ）が判別でき、またレイヤの判別、エリアの判別などが可能となる。
【００４８】
以上のような構造のセクターを１７２バイト×１２行のデータ空間として模式的に示したものが図７である。２０４８バイトのデータ領域として、データＤ０〜Ｄ２０４７の各バイトデータが記録されるが、後述するようにＴＯＣデータなどの管理データや、オーディオデータなどのメインデータが、セクター単位でみると、このデータＤ０〜Ｄ２０４７に相当する。
【００４９】
セクターデータの生成プロセスとしては、まずＩＤに対してＩＤエラー訂正コードＩＥＤが付加される。次に６バイト分のリザーブ領域に対して『００ｈ』のダミーデータが付加されるとともに、データ領域を構成するデータが加えられる。さらにこのように生成されたＩＤ、ＩＤエラー訂正コードＩＥＤ、リザーブ領域、データ領域の全体に対してエラー訂正コードＥＤＣが付加されることで、１セクターが形成されることになる。
【００５０】
［３］リードインエリア
（３−Ａ）  ＤＶＤコントロールデータ
図８（ａ）にリードインエリアの構造を示す。
図８（ａ）のようにリードインは、アドレス（物理セクターナンバＰＳＮ）としては或るリードインスタートアドレス『LISTART 』から物理セクターナンバ『０２ＦＦＦＦｈ』までの領域とされるが、その中の物理セクターナンバ『０２Ｆ０００ｈ』〜『０２Ｆ０１Ｆｈ』の２ブロック（１ブロック＝１６セクター）にはリファレンスコードが記録される。
【００５１】
また物理セクターナンバ『０２Ｆ２００ｈ』〜『０２ＦＤＦＦｈ』の１９２ブロックにはコントロールデータが記録される。
基本的にＤＶＤにおけるリードインにおいては、以上の２ブロックのリファレンスコードと、１９２ブロックのコントロールデータが記録されることになり、その他の領域は全てリザーブエリアとされている。
【００５２】
ただし図８（ａ）には物理セクターナンバ『０２ＦＦ００ｈ』〜『０２ＦＦＢＦｈ』の１２ブロックにＴＯＣと示している。このＴＯＣとは、通常のＤＶＤには設けられないが、ＤＶＤ物理フォーマットに準拠した本例のディスク（後述するＤＳＤディスク）において設けられるものである。
【００５３】
物理セクターナンバ『０２Ｆ２００ｈ』〜『０２ＦＤＦＦｈ』のコントロールデータとしては、図８（ｂ）のようにブロックＢＫ０〜ＢＫ１９１までの１９２ブロックのデータが記録されるが、この１９２個の各ブロックＢＫ０〜ＢＫ１９１は、同一のデータとされている。つまり１ブロック分のコントロールデータが１９２回繰り返して記録されているものとなっている。
【００５４】
１ブロック（＝１６セクター）分のコントロールデータは図８（ｃ）のように設定されており、１６セクターをセクター０〜セクター１５とすると、先頭のセクター０に物理フォーマット情報、セクター１にディスク製造情報、セクター２〜セクター１５にコピーライト情報が記録される。
【００５５】
セクター０に記録される物理フォーマット情報は、図８（ｄ）のように設定されている。図６で説明したように１セクターのうち実際のデータの記録に用いられるのは２０４８バイトのデータ領域である。このデータ領域の先頭１バイト（＝バイト０）はブックタイプ／パートバージョン、第２バイト（＝バイト１）はディスクサイズ／ミニマムリードアウトレート、第３バイト（＝バイト２）はディスク構造、第４バイト（＝バイト３）はレコーレッドデンシティが記録される。
【００５６】
また第５〜第１６番目の１２バイト（＝バイト４〜１５）はデータエリアアロケーションが記録される。バイト１６〜２０４７の２０３２バイトはリザーブとされている。
【００５７】
この物理フォーマット情報となる１セクターをバイトポジションとビットポジションで詳しく示したものが図９である。
【００５８】
まずバイト０のビットｂ４〜ｂ７の４ビットがブックタイプとされる。
このブックタイプはＤＶＤ物理フォーマットに準拠したディスクの識別コードとなるもので、通常のＲＯＭタイプのＤＶＤの場合、ビットｂ４〜ｂ７は『００００』となる。
【００５９】
後述するように本例では通常のＲＯＭタイプのＤＶＤとはことなるＤＳＤディスクや、ＤＳＤ／ＤＶＤ複合ディスクが提示されるが、或るディスクが、ＤＶＤ、ＤＳＤディスク、ＤＳＤ／ＤＶＤ複合ディスクのいづれであるかの識別がこのブックタイプによって行なわれる。
従ってＤＳＤディスク及びＤＳＤ／ＤＶＤ複合ディスクの場合、ビットｂ４〜ｂ７は『００００』以外の値となり、本例では、例えばＤＳＤディスクではビットｂ４〜ｂ７は『１０００』、ＤＳＤ／ＤＶＤ複合ディスクではビットｂ４〜ｂ７は『１０１０』とされるとして説明を行なう。
【００６０】
バイト０のビットｂ０〜ｂ３の４ビットにパートバージョン（バージョンナンバ）が示される。ビットｂ０〜ｂ３が『０００１』はバージョン1.x 、『００１０』はバージョン2.x 、『００１１』はバージョン3.x を示し、それ以外はリザーブとされている。
【００６１】
バイト１のビットｂ４〜ｂ７の４ビットにはディスクサイズが記録される。１２ｃｍディスクの場合はビットｂ４〜ｂ７が『００００』、８ｃｍディスクの場合はビットｂ４〜ｂ７が『０００１』とされ、それ以外はリザーブとされている。
【００６２】
バイト１のビットｂ０〜ｂ３の４ビットにはミニマムリードアウトレートが記録される。ビットｂ０〜ｂ３が『００００』は2.52Mbps、『０００１』は5.04Mbps、『００１０』は10.08Mbps を示し、それ以外はリザーブとされている。
【００６３】
ディスク構造が記録されるバイト２においては、まずビットｂ４，ｂ５にレイヤ数が示される。『００』はシングルレイヤディスクであること、『０１』はデュアルレイヤディスクであることを示す。それ以外はリザーブとされる。
【００６４】
またバイト２のビットｂ３はトラックパスの種別を示し、シングルレイヤディスクか、もしくはパラレルトラックパスのデュアルレイヤディスクではビットｂ３は『０』とされ、オポジットトラックパスのデュアルレイヤディスクではビットｂ３は『１』とされる。
バイト２のビットｂ０〜ｂ２はレイヤタイプを示す。このビットｂ０〜ｂ２が『０００』であるときは、レイヤー（記録層）がリードオンリータイプであることを示している。それ以外はリザーブとされている。
【００６５】
バイト３のビットｂ４〜ｂ７の４ビットにリニアデンシティ（線密度）が示される。ビットｂ４〜ｂ７が『００００』は 0.267μｍ／ｂｉｔ、『０００１』は
0.293μｍ／ｂｉｔを示し、それ以外はリザーブとされている。
バイト３のビットｂ０〜ｂ３の４ビットにはトラックデンシティ（トラック密度）が記録される。ビットｂ０〜ｂ３が『００００』は0.74μｍ／トラックを示し、それ以外はリザーブとされている。
【００６６】
物理フォーマット情報においてこのような情報が記録されていることで、ディスク（ＤＶＤもしくは後述するＤＳＤディスク）が装填された再生装置では、そのディスクの物理的種別の判別が可能となる。例えばトラックパスや、シングル／デュアルレイヤの判別により、再生動作の適正な制御が可能となり、またＤＶＤ、ＤＳＤディスク、ＤＳＤ／ＤＶＤ複合ディスクの判別も可能となる。
【００６７】
（３−Ｂ）  ＤＳＤ−ＴＯＣデータ
（３−Ｂ−１）  ＴＯＣ構造
上記したように、後述する本例のＤＳＤディスク（ＤＳＤ／ＤＶＤ複合ディスクも含む）においては、リードイン領域の物理セクターナンバ『０２ＦＦ００ｈ』〜『０２ＦＦＢＦｈ』の１２ブロックはＴＯＣ（Table of Contents ）としてのデータが記録される。なお、ＴＯＣは必ずしもこの位置に設けられる必要はなく、例えばリードインにおいて、適切な位置が設定されればよいものである。
【００６８】
図１０（ａ）（ｂ）に示すように、このＴＯＣには、ブロックＢＫ０〜ＢＫ１１までの１２ブロックのデータが記録されるが、この１２個の各ブロックＢＫ０〜ＢＫ１１は、同一のデータとされている。つまり１ブロック分のＴＯＣが１２回繰り返して記録されているものとなっている。
【００６９】
１ブロック（＝１６セクター）分のＴＯＣの内容は図１０（ｃ）のように設定されており、１６セクターをセクター０〜セクター１５とすると、先頭のセクター０にトラック位置及びモード情報、セクター１にテキスト情報、セクター２にプロダクト情報、セクター３にテキスト情報、セクター４にパートスキャン位置情報が記録される。セクター５〜セクター１５はリザーブとされている。
【００７０】
このようなＴＯＣセクター０〜セクター４は、主にデジタルオーディオデータを記録するＤＳＤディスク（Direct Stream Digital ディスク）において、各トラック（オーディオデータとしての楽曲などの単位）毎にアドレスやテキスト情報、プロダクト情報などの付加情報を管理するために設けられるものである。詳しくは後述するが、Direct Stream Digital ディスクとは、ＤＶＤ物理フォーマットに準拠したうえで、このようなＴＯＣを設け、ＴＯＣにより管理される『Direct Stream Digital 』データとしてのトラック単位のオーディオデータを記録したディスクである。従ってディスクのデータエリアに収録される各データトラックは、ＤＶＤとしてのディレクトリ構造によるデータファイルとしての形式はとらず、ＤＶＤディレクトリとは独立した、あくまでＴＯＣにより管理されるものとなる。
ＴＯＣセクター０〜セクター４の各内容について、順次詳しく説明していく。
【００７１】
（３−Ｂ−２）  ＴＯＣセクター０
ＴＯＣセクター０はトラック位置及びモード情報のエリアとされる。即ち、主にＤＳＤデータとして記録されている各トラックに関し、そのアドレスや属性（トラックモード）を示す管理情報領域とされる。
【００７２】
図１１はＴＯＣセクター０における２０４８バイトのデータ領域（図６参照）のフォーマットを示している。
この２０４８バイトのデータ領域の先頭４バイトは、システムＩＤとして、アスキーコードにより『Ｓ』『Ａ』『Ｃ』『Ｄ』と記録される。
【００７３】
続いて第７バイト目に最初のトラックのトラックナンバ(First TNO）、第８バイト目に最後のトラックのトラックナンバ（Last TNO）が記録される。このトラックとはもちろんＤＳＤデータトラックのことである。
【００７４】
第９バイト〜第１１バイトの３バイトで、エクストラデータスタートアドレスＥＤＳＡが記録される。エクストラデータについては後述するが、ＤＳＤディスクがいわゆるＣＤ  ＥＸＴＲＡなどで知られているマルチセッションディスクと概略同等のディスクとされる場合において、そのマルチセッションディスクのセッション２としての領域に相当するような状態で、エクストラデータ領域が形成される場合に、そのスタートポイントがエクストラデータスタートアドレスＥＤＳＡとして示されることになる。このエクストラデータスタートアドレスＥＤＳＡとしては、物理セクターナンバＰＳＮが記録される。
【００７５】
第１２バイト目にはセクター使用状況(Used sectors)が記録される。この１バイトは、ＴＯＣセクターのうち何らかの管理情報の記録に用いられているセクターを示すために用いられる。
【００７６】
第１７バイト目から１００バイト分の領域には、収録された各トラックに対応するテーブルポインタ (P-TNO1〜P-TNO100) が記録される。
このテーブルポインタは、収録された各トラックを、第１２５バイト目から記録されるアドレス管理テーブルに対応させるものであり、実際の各トラックのアドレスや属性（トラックモード）は、８バイト単位で形成されるアドレス管理テーブル（ＡＫ１〜ＡＫ１００）によって示される。
【００７７】
アドレス管理テーブルＡＫ（ｘ）は３バイトのスタートアドレスＳＡ（ｘ）、１バイトのトラックモードＴＭ（ｘ）、３バイトのエンドアドレスＥＡ（ｘ）、及び未定義１バイトの計８バイトで１つのユニットとされている。スタートアドレスＳＡ（ｘ）及びエンドアドレスＥＡ（ｘ）としては物理セクターナンバＰＳＮが記録される。
そしてこのアドレス管理テーブル（ＡＫ１〜ＡＫ１００）としてのユニットはテーブルポインタ (P-TNO1〜P-TNO100) に対応できるように１００単位設けられる。
【００７８】
テーブルポインタP-TNO1〜P-TNO100は、それぞれ第１トラックから第１００トラックに対応すべく設けられているものであり、例えばデータエリアに収録されている第１トラックについての管理は、テーブルポインタP-TNO1が、その第１トラックについてのアドレス及びトラックモードを記録したアドレス管理テーブルＡＫ１を示すことによって行なわれる。
【００７９】
即ちテーブルポインタP-TNO(x)として記録されている値を『Ｐｘ』とすると、２９×４＋（Ｐｘ）×８の演算により対応するアドレス管理テーブルＡＫ（ｘ）のバイトポジションが示される。
【００８０】
例えばテーブルポインタP-TNO1に『１』と記録されていることで、バイトポジション『１２４』が示されるが、これはアドレス管理テーブルＡＫ１の先頭であるスタートアドレスＳＡ１の第１バイト目のバイトポジションとなる。
そしてこのアドレス管理テーブルＡＫ１において３バイトのスタートアドレスＳＡ１として第１トラックの先頭アドレスが物理セクターナンバＰＳＮにより記録されており、またトラックモードＴＭ１として第１トラックの属性が記録される。さらに３バイトのエンドアドレスＥＡ１として第１トラックの終端アドレスが物理セクターナンバＰＳＮにより記録されている。
【００８１】
同様に、第２トラックに対応するテーブルポインタP-TNO2により、スタートアドレスＳＡ２、トラックモードＴＭ２、エンドアドレスＥＡ２によって成るアドレス管理テーブルＡＫ２が指定され、このスタートアドレスＳＡ２に第２トラックの先頭アドレスが物理セクターナンバＰＳＮにより記録され、トラックモードＴＭ２として第２トラックの属性が記録され、エンドアドレスＥＡ１として第２トラックの終端アドレスが物理セクターナンバＰＳＮにより記録される。
【００８２】
以降、収録されたトラックの全てに対して同様にテーブルポインタ及びアドレス管理テーブルが用いられて、アドレス及びトラックモードが記録される。
なお、対応するトラックがないテーブルポインタ及びアドレス管理テーブルは『００ｈ』とされる。例えば合計１０トラック収録されたディスクにおいてはテーブルポインタP-TNO11 〜P-TNO100、及びアドレス管理テーブルＡＫ１１〜ＡＫ１００は、各バイトが『００ｈ』となる。
【００８３】
このようなトラック毎のアドレス及びモード管理が、テーブルポインタP-TNO(x)と、それによって導かれるアドレス管理テーブルＡＫ（ｘ）（＝スタートアドレスＳＡ（ｘ）、トラックモードＴＭ（ｘ）、エンドアドレスＥＡ（ｘ））によって行なわれる。従って例えばこのディスクを装填した再生装置はディスクからＴＯＣセクター０を読み込んだ後であれば、任意の第（ｘ）トラックについて、スタートアドレスＳＡ（ｘ）、エンドアドレスＥＡ（ｘ）を参照して再生アクセスすることができる。またトラックモードＴＭ（ｘ）により、その第（ｘ）トラックの再生などの際に所要の制御を行なうことができる。
【００８４】
そして図１１に示されるように、テーブルポインタはP-TNO1〜P-TNO100の１００単位用意され、さらにアドレス管理テーブルも１００ユニット（ＡＫ１〜ＡＫ１００）用意されているため、このＴＯＣセクター０により管理されることになるＤＳＤデータトラックは、最高１００トラック（例えば音楽の場合は１００曲）まで１枚のＤＶＤ内に収録できることになる。
【００８５】
各アドレス管理テーブル（ＡＫ１〜ＡＫ１００）に設けられるトラックモードＴＭ１〜ＴＭ１００としてはその１バイトの各ビットが所定の属性を示すべく割り当てられる。例えばコピーライトプロテクトのオン／オフ状態、データ種別、モノラル／ステレオ（２チャンネル／６チャンネル）の種別、エンファシス情報などが示されるべく設定される。
【００８６】
（３−Ｂ−３）  ＴＯＣセクター１
テキスト情報領域とされるＴＯＣセクター１は、ＤＳＤデータとして記録されている各トラックに対応してトラックネーム（曲名など）を記録したり、ディスク自体に対応したディスクネーム（アルバムタイトルなど）を記録するデータ領域とされる。
【００８７】
図１２はＴＯＣセクター１における２０４８バイトのデータ領域（図６参照）のフォーマットを示している。
この２０４８バイトのデータ領域の先頭４バイトは、システムＩＤとして、アスキーコードにより『Ｓ』『Ａ』『Ｃ』『Ｄ』と記録される。
【００８８】
このＴＯＣセクター１には、収録される各トラック（最大１００トラック）に対応してスロットポインタP-TNA1〜P-TNA100が用意され、またこのスロットポインタP-TNA1〜P-TNA100によって指定される文字スロット部が第１２１バイト目以降（図中２９行〜５１１行）に設けられている。
そして、上述したＴＯＣセクター０とほぼ同様の形態で文字データを管理することになる。
【００８９】
文字スロット部にはディスクネームやトラックネームとしての文字情報が例えばアスキーコードで記録される。なお、文字スロット部の先頭８バイトはディスクネームの専用エリアとされている。それ以外は、ディスクネーム／トラックネームのいずれに使用してもよい。
【００９０】
そして、スロットポインタP-TNA(x)によって指定される文字スロット部内のバイトポジションには、第（ｘ）トラックに対応したトラックネームが記録される。例えばスロットポインタP-TNA1によって指定されるバイトポジションには第１トラックに対応したトラックネームが記録されていることになる。
なお、スロットポインタP-TNA(x)として記録されている値を『Ｐｘ』とすると、２９×４＋（Ｐｘ）×８の演算により対応する文字情報が記録されているスロットのバイトポジションが示される。
【００９１】
このようなトラック毎に対応したテキストデータの管理が、スロットポインタP-TNO(x)と、それによって導かれるスロット（バイトポジション）によって行なわれることで、例えばこのディスクを装填した再生装置はディスクからＴＯＣセクター１を読み込んだ後であれば、任意の第（ｘ）トラックについて、曲名などのトラックネームをユーザーに対して表示させたり、ディスクネームを表示させることなど、所要の制御を行なうことができる。
【００９２】
（３−Ｂ−４）  ＴＯＣセクター２
プロダクト情報領域とされるＴＯＣセクター２は、ＤＳＤデータとして記録されている各トラックに対応して著作権情報を記録するデータ領域とされる。
【００９３】
図１３はＴＯＣセクター２における２０４８バイトのデータ領域（図６参照）のフォーマットを示している。先頭４バイトは、システムＩＤとして、アスキーコードにより『Ｓ』『Ａ』『Ｃ』『Ｄ』と記録される。
【００９４】
このＴＯＣセクター２には、収録される各トラック（最大１００トラック）に対応してスロットポインタP-TCD1〜P-TCD100が用意され、またこのスロットポインタP-TCD1〜P-TCD100によって指定されることになる１００単位の著作権データスロットＩＳＲＣ１〜ＩＳＲＣ１００が第１２９バイト目以降（図中３１行〜２３０行）に設けられている。
そして、上述したＴＯＣセクター０とほぼ同様の形態で著作権情報を管理することになる。
【００９５】
各著作権データスロットＩＳＲＣ１〜ＩＳＲＣ１００はそれぞれ８バイトとされるが、各著作権データスロットＩＳＲＣ１〜ＩＳＲＣ１００には、収録された各トラックに対応して著作権コードが記録される。即ち、国、権利団体、著作権登録年度、登録番号などがコード化されて記録される。
【００９６】
そして、スロットポインタP-TCD(x)によってバイトポジションで指定される著作権データスロットＩＳＲＣ（ｘ）に、第１トラックに対応した著作権コードが記録されていることになる。例えばスロットポインタP-TCD1によって指定されるバイトポジションとなる著作権データスロットＩＳＲＣ１には第１トラックに対応した著作権コードが記録されていることになる。
なお、スロットポインタP-TCD(x)として記録されている値を『Ｐｘ』とすると、２９×４＋（Ｐｘ）×８の演算により対応する著作権データスロットＩＳＲＣ（ｘ）のバイトポジションが示される。
【００９７】
第１２１バイト目から第１２８バイト目まで（図中２９，３０行）の８バイトは、カタログナンバＣＮの記録に割り当てられている。
【００９８】
このようにトラック毎に対応した著作権管理が、スロットポインタP-TCD(x)と、それによって導かれる著作権データスロットＩＳＲＣ（ｘ）によって行なわれる。従って例えばこのディスクを装填した再生装置は、ディスクからＴＯＣセクター２を読み込むことで、各トラック毎に著作権に応じた再生動作などを行なうことも可能になり、さらには他の記録可能ディスクなどへのトラックデータのデジタルコピーの管理／制限等にも利用できる。
また、ＣＤ（コンパクトディスク）では著作権情報が記録されたものもあるが、この場合の著作権情報は各トラックについてサブコードＱデータとして記録されており、従って全トラックについて著作権情報を読み出すには全トラックの先頭部分の再生を行なう必要がある。ところが本例のように著作権情報をＴＯＣで管理することで、再生装置ではＴＯＣ読出動作のみで、各トラックの著作権情報を得ることができ好適なものとなる。
【００９９】
（３−Ｂ−５）  ＴＯＣセクター３
テキスト情報領域とされるＴＯＣセクター３は、前述のＴＯＣセクター１と同様に、ＤＳＤデータとして記録されている各トラックに対応してトラックネームを記録したり、ディスクネームを記録するデータ領域とされる。
【０１００】
図１４はＴＯＣセクター３における２０４８バイトのデータ領域のフォーマットを示しているが、先頭４バイトにシステムＩＤとしてアスキーコードにより『Ｓ』『Ａ』『Ｃ』『Ｄ』と記録されること、及びスロットポインタP-TNA1〜P-TNA100が用意され、またこのスロットポインタP-TNA1〜P-TNA100によって指定される文字スロット部が第１２１バイト目以降（図中２９行〜５１１行）に設けられていることはＴＯＣセクター１と同様である。そしてＴＯＣセクター１と同様に、スロットポインタP-TNA(x)によって指定される文字スロット部内のバイトポジションには、第（ｘ）トラックに対応したトラックネームが記録される。また文字スロット部の先頭８バイトはディスクネームの専用エリアとされている。
【０１０１】
このようにＴＯＣセクター３はＴＯＣセクター１と同様にトラック毎の文字情報の管理を行なうが、このＴＯＣセクター３は、漢字や欧州文字などの特殊文字に対応するコードデータが記録される領域とされている。このため特殊文字の種別を示すデータとして第１６バイト目にキャラクタコード（Char code)として使用する文字の属性が記録される。
【０１０２】
（３−Ｂ−６）  ＴＯＣセクター４
ＴＯＣセクター４はパートスキャン位置情報が記録されるエリアとされる。パートスキャンとは、例えば楽曲などの一部（例えばイントロ、サビ、テーマなど）のみを再生させるような再生動作のことであり、例えば特定のトラックとしての楽曲のサビの部分だけを再生させたり、各トラック順番にイントロ部分のみを連続して再生させていくような動作となる。
【０１０３】
このような動作を行なうためには、予めパートスキャンのために各トラックの例えばサビなどに相当する或る一部分を選んでおき、その一部分についてのスタートアドレス、エンドアドレスを管理しておくことが好適である。
そしてこのトラックの一部分についてのアドレス管理がＴＯＣセクター４によって行なわれる。
【０１０４】
図１５はＴＯＣセクター４における２０４８バイトのデータ領域（図６参照）のフォーマットを示している。このセクターでも先頭４バイトは、システムＩＤとしてアスキーコードにより『Ｓ』『Ａ』『Ｃ』『Ｄ』と記録される。またＴＯＣセクター０と同様に第７バイト目に最初のトラックのトラックナンバ(First TNO）、第８バイト目に最後のトラックのトラックナンバ（Last TNO）が記録される。
【０１０５】
第１７バイト目から１００バイト分の領域には、収録された各トラックに対応するテーブルポインタ (P-TNO1〜P-TNO100) が記録される。そしてテーブルポインタ (P-TNO1〜P-TNO100) に対応されるスキャンアドレス管理テーブル（ＳＡＫ１〜ＳＡＫ１００）が用意される。各スキャンアドレス管理テーブル（ＳＡＫ１〜ＳＡＫ１００）は、３バイトのスキャンスタートアドレスＳＳＡ（ｘ）、１バイトのトラックモードＴＭ（ｘ）、３バイトのスキャンエンドアドレスＳＥＡ（ｘ）、及び未定義１バイトの計８バイトで１つのユニットとされている。スキャンスタートアドレスＳＳＡ（ｘ）及びスキャンエンドアドレスＳＥＡ（ｘ）としては物理セクターナンバＰＳＮが記録される。
【０１０６】
テーブルポインタ (P-TNO1〜P-TNO100) によってそれぞれ或るスキャンアドレス管理テーブル（ＳＡＫ１〜ＳＡＫ１００）が指定されることは、前述したＴＯＣセクター０におけるテーブルポインタ (P-TNO1〜P-TNO100) とアドレス管理テーブル（ＡＫ１〜ＡＫ１００）の関係と同様であり、テーブルポインタP-TNO(x)として記録されている値を『Ｐｘ』とすると、２９×４＋（Ｐｘ）×８の演算により対応するスキャンアドレス管理テーブルＳＡＫ（ｘ）のバイトポジションが示される。
【０１０７】
そしてテーブルポインタP-TNO1〜P-TNO100は、それぞれ第１トラックから第１００トラックに対応しており、データエリアに収録されている第１トラックについての管理は、テーブルポインタP-TNO1が、その第１トラックについてのスキャンアドレスを記録したスキャンアドレス管理テーブルＳＡＫ１を示すことによって行なわれる。
【０１０８】
例えばテーブルポインタP-TNO1に『１』と記録されていることで、バイトポジション『１２４』が示されるが、これはスキャンアドレス管理テーブルＳＡＫ１の先頭であるスキャンスタートアドレスＳＳＡ１の第１バイト目のバイトポジションとなる。
【０１０９】
そしてこのスキャンアドレス管理テーブルＳＡＫ１において３バイトのスキャンスタートアドレスＳＳＡ１として第１トラックの例えばサビなどの特定部分が始まる位置に相当するアドレスが物理セクターナンバＰＳＮにより記録されており、またトラックモードＴＭ１として第１トラックの属性（もしくはスキャンアドレスで示される一部分のみの属性）が記録される。さらに３バイトのスキャンエンドアドレスＳＥＡ１として第１トラックにおける特定部分の終わり位置に相当するアドレスが物理セクターナンバＰＳＮにより記録されている。
【０１１０】
同様に、第２トラックに対応するテーブルポインタP-TNO2により、スキャンスタートアドレスＳＳＡ２、トラックモードＴＭ２、スキャンエンドアドレスＳＥＡ２によって成るアドレス管理テーブルＳＡＫ２が指定され、これによって第２トラックについて設定されたサビなどの特定部分のアドレス位置が管理される。以降、収録されたトラックの全てに対して同様にテーブルポインタ及びスキャンアドレス管理テーブルが用いられて、トラックの特定部分のみのアドレスが記録される。
【０１１１】
なお、対応するトラックがないテーブルポインタ及びアドレス管理テーブルは『００ｈ』とされる。例えば合計１０トラック収録されたディスクにおいてはテーブルポインタP-TNO11 〜P-TNO100、及びスキャンアドレス管理テーブルＳＡＫ１１〜ＳＡＫ１００は、各バイトが『００ｈ』となる。また、このスキャンアドレスは必ず全トラックについて設定しなければならないものでもなく、収録されているトラックの中の一部のトラックについてのみ、サビなどの一部を特定したスキャンアドレスを管理するようにしてもよい。
【０１１２】
このようなトラック毎にスキャンアドレスがテーブルポインタP-TNO(x)と、それによって導かれるスキャンアドレス管理テーブルＳＡＫ（ｘ）によって行なわれることで、例えばこのディスクを装填した再生装置は、ディスクからＴＯＣセクター４を読み込んだ後であれば、任意の第（ｘ）トラックについて、ディスク作成者が側が設定し、ＴＯＣセクター４に記録したスキャンアドレスに基づいてサビ部分、イントロ部分などのトラックの一部の再生動作を容易に行なうことができたり、各トラックに対して連続的にイントロのみを再生させるなどの動作制御も可能となる。
【０１１３】
［４］ＤＳＤ
以上のＴＯＣは、ＤＳＤディスクにおいてリードインエリア内に形成されるが、このようにＴＯＣが設けられるのは本例のＤＳＤディスクであって、通常のＤＶＤにおいてはＴＯＣは設けられない。
【０１１４】
ＤＳＤ（Direct Stream Digital ）ディスクについては、以下説明していくように、ＤＳＤデータとしてのトラックを有するディスクであるが、説明上、ディスク種別を▲１▼ＤＶＤ、▲２▼ＤＳＤディスク、▲３▼ＤＳＤ／ＤＶＤ複合ディスク、▲４▼ＤＳＤ／ＣＤＥＸ複合ディスクにわける。そして本明細書においては各ディスクの定義は次のようにする。
【０１１５】
▲１▼  ＤＶＤ：上述したＤＶＤ物理フォーマットを持ち、さらに図３のボリューム空間構成、図４のディレクトリ構造を持つ、通常のＤＶＤ。
【０１１６】
▲２▼  ＤＳＤディスク：ＤＶＤ物理フォーマットに準拠しながら、上記ＴＯＣを有し、データエリアに記録される実データの全てがＤＳＤデータとしてのトラックとされているディスク。
【０１１７】
▲３▼  ＤＳＤ／ＤＶＤ複合ディスク：ＤＶＤ物理フォーマットに準拠しながら、上記ＴＯＣを有し、データエリアに記録される実データとしてＤＳＤデータによるトラックが存在するが、図４のディレクトリ構造による通常のＤＶＤデータの記録エリアも有しているディスク。
【０１１８】
▲４▼  ＤＳＤ／ＣＤＥＸ複合ディスク：上記▲２▼ＤＳＤディスクもしくは▲３▼ＤＳＤ／ＤＶＤ複合ディスクにおいて、ＴＯＣに管理されるデータ領域がいわゆるマルチセッションと概略同様に領域分割され、ＤＳＤデータによるトラック領域と、ＣＤ−ＲＯＭデータ領域が形成されているディスク。
【０１１９】
本発明の実施の形態としてのディスクは、▲２▼ＤＳＤディスク、▲３▼ＤＳＤ／ＤＶＤ複合ディスク、▲４▼ＤＳＤ／ＣＤＥＸ複合ディスクとなり、以下これらを順次説明している。
【０１２０】
（４−Ａ）  ＤＳＤディスク
まずＤＳＤディスクについて説明する。
本例のＤＳＤ（Direct Stream Digital ）ディスクは、ΣΔ変調された高速１ビットデジタルオーディオデータ（Direct Stream Digital データ：ＤＳＤデータ）を記録したディスクである。
なおＤＳＤセクターの説明において後述するが、『ＤＳＤデータ』としては、本例ではΣΔ変調された高速１ビットの『デジタルオーディオ』データをそのメインデータとしているが、さらにサブコードデータとしてデジタルオーディオに限られない各種データを含めることができる。またもちろんメインデータは『デジタルオーディオ』データに限られるものではない。
本明細書において『ＤＳＤデータ』という表記は、メインデータとサブデータの両方を含むものとしている。
【０１２１】
ＤＳＤデータの記録／再生のイメージを図１６（ａ）に示し、また比較のために通常のＤＶＤデータの記録／再生のイメージを図１６（ｂ）に、ＣＤ−ＤＡのオーバーサンプリング方式でのデータの記録／再生のイメージを図１６（ｃ）に、それぞれ示す。なお、図中の各ブロックは処理を示すものとする。
【０１２２】
ＣＤ−ＤＡではより高音質化を実現するものとして図１６（ｃ）のようなオーバーサンプリング方式が実施されている。これはアナログ音声信号ＡｓｉｇをΣΔ変調／１ビットＡ／Ｄ変換処理１１を行なってサンプリング周波数ｎｆｓ、１ビットのデジタルオーディオデータとする。ｆｓとは44.1KHz であり、ｎｆｓとしては例えば６４ｆｓなどの非常に高い周波数とされ、これにより高音質化が実現される。
【０１２３】
ところがＣＤ−ＤＡで扱われるのはサンプリング周波数ｆｓ／１６ビットのデジタルオーディオデータであるため、デシメーションフィルタ処理１２によりマルチビット化及び低ｆｓ化を行ない、サンプリング周波数ｆｓ／１６ビットに変換してからＥＦＭ／ＣＩＲＣなどのエンコード処理１３を行なったデータがディスク１４に記録されることになる。
【０１２４】
再生時にはディスク１４から読み出され、デコード処理１５が施されたデータはサンプリング周波数ｆｓ／１６ビットのデジタルオーディオデータとなるが、これをインターポレーションフィルタ処理１６としてオーバーサンプリングを行なってサンプリング周波数ｎｆｓ／１ビットのデジタルオーディオデータとする。そして、ΣΔ変調／１ビットＤ／Ａ変換処理１７を行なってアナログ音声信号Ａｓｉｇを得るものとなる。
【０１２５】
このようなオーバーサンプリング方式を採用したＣＤ−ＤＡでは、ｎｆｓ／１ビット化によりある程度の高音質化は実現されるが、デシメーションフィルタ処理１２、インターポレーションフィルタ処理１６などのデジタルフィルタリングにおける演算誤差の発生は免れないものとなっている。
【０１２６】
図１６（ｂ）に示すようにＤＶＤの場合は、アナログ音声信号Ａｓｉｇを例えば４８ＫＨｚもしくは９６ＫＨｚという高いサンプリング周波数で、かつ１６ビット／２０ビット／２４ビットなどの少なくとも１６ビット以上の量子化数でＡ／Ｄ変換処理６を行なう。そしてＭＰＥＧ２方式によるエンコード処理７が行なわれたデータがディスク８に記録されることになる。
再生時にはディスク８から読み出され、ＭＰＥＧ２方式によるデコード処理９が施されたデータは記録時のサンプリング周波数及び量子化ビット数にあわせてＤ／Ａ変換処理１０が行なわれ、アナログ音声信号Ａｓｉｇが得られる。
【０１２７】
本例のＤＳＤディスクの場合は、図１６（ａ）のようにアナログ音声信号Ａｓｉｇに対してΣΔ変調／１ビットＡ／Ｄ変換処理１を行なう。
このときのサンプリング周波数は３２ｆｓ／６４ｆｓ／１２８ｆｓという３つのモード用意されている。また、詳しくは後述するが、オーディオデータのチャンネル数としては２チャンネルモードと６チャンネルモードが用意される。
【０１２８】
例えば６４ｆｓ／１ビットのデジタルオーディオデータは、そのままダウンサンプリングやマルチビット化されることなく、そのままエンコード処理２が行なわれ、エンコードされたデータがディスク３に記録されることになる。なおエンコード時にオーディオデータと関連したもしくは無関係なサブコードデータも付加される。
再生時にはディスク３から読み出され、デコード処理４が施されることで、例えば６４ｆｓ／１ビットのデジタルオーディオデータ（及びサブコードデータ）が得られるが、このデジタルオーディオデータにはΣΔ変調／１ビットＤ／Ａ変換処理５が行なわれ、アナログ音声信号Ａｓｉｇが得られることになる。
【０１２９】
このＤＳＤ方式の場合は、非常に高いサンプリング周波数により高音質化が実現されるとともに、ＣＤ−ＤＡの場合のようなフィルタリング処理が介在されないことになり音質劣化がないため、結果的に従来よりも著しい高音質化を実現できる。
また音声と映像の両方を複合的に扱うＭＰＥＧ２方式には準拠しないため、特にオーディオデータのみの記録／再生に適したものである。
【０１３０】
このようなイメージでＤＳＤデータの記録が行なわれるＤＳＤディスクの構造を図１７、図１８に示す。
【０１３１】
図１７はシングルレイヤディスクの場合を示している。
まずリードインにおけるコントロールデータＣＮＴとしては、その中の物理フォーマット情報内のブックタイプ（図８、図９参照）が『１０００』とされ、ＤＳＤディスクであることが示される。さらにリードイン内にＴＯＣが形成されていることになる。
【０１３２】
物理セクターナンバ『０３００００ｈ』からリードアウトの直前（ＬＯ−１）までのデータエリアには、ＤＳＤデータとしてのトラックＴＫ１〜ＴＫｎが記録される。上記したＴＯＣセクターでの管理方式からわかるように、最大１００トラックまでを収録できることになる。
【０１３３】
図１８はデュアルレイヤディスクの場合を示しており、図１８（ａ）はパラレルトラックパスの場合を、また図１８（ｂ）はオポジットトラックパスの場合を示している。
【０１３４】
図１８（ａ）のパラレルトラックパスとされる場合は、レイヤ０、レイヤ１は独立に形成される。即ちレイヤ０ではリードインにおけるコントロールデータＣＮＴ内のブックタイプが『１０００』とされ、ＤＳＤディスクであることが示されるとともに、リードイン内にＴＯＣが形成される。そしてこのＴＯＣによって管理されることになるＤＳＤデータによるトラックＴＫ１〜ＴＫｎが、レイヤ０のデータエリアに記録される。
【０１３５】
またレイヤ１も同様に、リードインにおけるコントロールデータＣＮＴ内のブックタイプが『１０００』とされ、ＤＳＤディスクであることが示され、さらにリードイン内にＴＯＣが形成される。そしてこのＴＯＣによって管理されることになる、ＤＳＤデータによるトラックＴＫ１〜ＴＫｎが、レイヤ１のデータエリアに記録される。各レイヤにおいて最大１００トラックが収録可能となる。
【０１３６】
図１８（ｂ）のオポジットトラックパスとされる場合は、レイヤ０、レイヤ１はミドルエリアを介して連続した１つのレイヤとみなされる。
そしてレイヤ０のディスク最内周側となるリードインでは、コントロールデータＣＮＴ内のブックタイプが『１０００』とされ、ＤＳＤディスクであることが示されるとともに、ＴＯＣが形成される。そしてこのＴＯＣによって管理されることになるＤＳＤデータによるトラックＴＫ１〜ＴＫｘが、レイヤ０のデータエリアに記録される。さらに、トラックＴＫｘ＋１〜ＴＫｎが、レイヤ１のデータエリアに記録される。
収録可能トラック数は最大１００トラックとなる。
【０１３７】
ＤＳＤディスクとしては、以上の３種類の形態が考えられる。そしてこのようなディスクが装填された再生装置では、コントロールデータＣＮＴ内のブックタイプが『１０００』であることに応じてＴＯＣが存在することを認識し、ＴＯＣを読み込むことで、トラックＴＫ１〜ＴＫｎの再生が可能となる。
また、ＴＯＣセクター１，３におけるテキスト情報を用いて、再生トラックに対応した文字表示が行なわれたり、ＴＯＣセクター４におけるスキャンアドレスを用いた各トラックに対するパートスキャン動作なども可能となる。
【０１３８】
（４−Ｂ）  ＤＳＤデータ
（４−Ｂ−１）  ＤＳＤデータセクター
本例ではＤＳＤデータにおけるメインデータはデジタルオーディオデータであるとして説明するが、もちろんビデオデータやコンピュータデータをＤＳＤデータのメインデータとして記録することも可能である。
図１９はＤＶＤ方式におけるセクターフォーマットに準拠してＤＳＤデータが記録されるセクターのデータ領域（２０４８バイト）を示している。
【０１３９】
ＤＳＤデータが記録されるセクター（以下、データセクター）では、２０１６バイトがメインデータ領域とされ、このメインデータ領域に実際のオーディオデータなどのＤＳＤデータが記録される。そして残りの３２バイトはサブデータ領域とされ、いわゆるサブコードデータを記録できる領域とされる。サブコードデータとしては、例えばメインデータ領域に記録されるオーディオデータなどの再生の際の時間情報など、メインデータと関連した情報としてもよいし、またメインデータと関連した／もしくは無関係なグラフィック情報や、ＭＩＤＩデータなどのアプリケーションデータとしてもよい。
【０１４０】
メインデータ領域及びサブデータ領域として形成される２０４８バイトに対しては、４バイトのＩＤ、２バイトのＩＤエラー訂正コードＩＥＤ、６バイトのダミーデータ（リザーブ）、４バイトのエラー訂正コードＥＤＣが付加され、またメインデータ領域に記録されるＤＳＤデータに関しては所定のスクランブルがかけられることで、図６に示したセクターフォーマットによる２０６４バイトのデータセクターが形成される。
【０１４１】
このデータセクターについては、１６セクターを１単位として、ＥＣＣ（ＰＯ（２０８，１９２，１７）、ＰＩ（１８２，１７２，１１））が付加されて、ＥＣＣブロックが形成される。ＰＯコードは、列単位でインターリーブされ、各セクターの最終列に配置されて、これが１６個のレコーディングセクターとなる。そしてさらにシンクコードが付加されたうえで、いわゆるＥＦＭプラス変調が行なわれ、１６単位の物理セクターとなってディスクに記録されるものである。
【０１４２】
（４−Ｂ−２）  ２ｃｈオーディオＤＳＤデータセクター
【０１４３】
ＤＳＤデータのメインデータが２チャンネルデジタルオーディオデータとされてデータセクターが形成される場合のフォーマットは図２０のようになる。なおこの図２０にはデータセクター内の２０４８バイトのデータ領域のうちの２０１６バイトのメインデータ領域のみを示している。
【０１４４】
Ｌ，Ｒの２チャンネルのオーディオデータは、各チャンネル毎に８ビット単位のデータにまとめられる。そして図示するとおりＬ０，Ｒ０，Ｌ１，Ｒ１・・・・・・Ｌ１００７、Ｒ１００７と各チャンネルにつき１００８バイトのデータが交互に記録される。
【０１４５】
なお、上記のようにデータ領域の２０４８バイトのうち３２バイトがサブコードデータに割り当てられているが、このような２チャンネルモードの場合、データ転送速度は１１２００バイト／秒となり、つまり現行のＣＤ−ＤＡにおけるサブコードの転送速度は７２００バイト／秒を上回るものとなっている。
従ってＤＳＤの場合は、サブコードデータによる機能をＣＤ−ＤＡの場合と同等以上に発揮できる可能性が実現されている。
【０１４６】
また２チャンネルデータは１セクター単位で完結することになり、１秒＝３５０セクターとなるため、再生時のセクター単位の頭だし再生を考えると、１／３５０秒精度の頭だしが可能となり、現行のＣＤ−ＤＡの１秒＝７５フレームの頭だし精度に比べて、高精度なものとなる。
【０１４７】
（４−Ｂ−３）  ６ｃｈオーディオＤＳＤデータセクター
ＤＳＤデータとしてのメインデータが６チャンネルデジタルオーディオデータとされてデータセクターが形成される場合のフォーマットは図２１のようになる。なおこの図２１も、データセクター内の２０４８バイトのデータ領域のうちの２０１６バイトのメインデータ領域のみを示している。
【０１４８】
６チャンネルのオーディオデータとは、図２４に示すようにＬ，Ｒチャンネルに加えて前方中央にＳチャンネル、Ｃチャンネルを配し、さらに後方にＬｒ（Ｌリア）、Ｒｒ（Ｒリア）チャンネルが配されるものである。
【０１４９】
Ｌ，Ｒ，Ｃ，Ｓ，Ｌｒ，Ｒｒの６チャンネルのオーディオデータは、各チャンネル毎に８ビット単位のデータにまとめられる。そして図示するとおりＬ０，Ｒ０，Ｃ０，Ｓ０，Ｌｒ０，Ｒｒ０，Ｌ１，Ｒ１，Ｃ１，Ｓ１，Ｌｒ１，Ｒｒ１，・・・・・・Ｌ３３５，Ｒ３３５，Ｃ３３５，Ｓ３３５，Ｌｒ３３５，Ｒｒ３３５と、各チャンネルにつき３３６バイトのデータが順に記録される。
【０１５０】
そして図１９のようにデータ領域の２０４８バイトのうち３２バイトがサブコードデータに割り当てられているが、このような６チャンネルモードの場合、データ転送速度は１６８００バイト／秒となり、この場合も現行のＣＤ−ＤＡにおけるサブコードの転送速度は７２００バイト／秒を上回るものとなっている。
従ってＤＳＤディスクの場合２チャンネル・６チャンネルいずれの場合も、サブコードデータによる機能をＣＤ−ＤＡの場合と同等以上に発揮できる可能性が実現されている。もちろん、サブコードデータを用いてタイムコードなどを生成することも可能である。
【０１５１】
また６チャンネルデータも１セクター単位で完結することになり、１秒＝５２５セクターとなるため、再生時のセクター単位の頭だし再生を考えると、１／５２５秒精度の頭だしが可能となり、現行のＣＤ−ＤＡの１秒＝７５フレームの頭だし精度に比べて、高精度なものとなる。
【０１５２】
（４−Ｃ）  ＤＳＤディスク再生装置
ＤＳＤディスクに対応する再生装置の構成を図２２に示す。
再生装置に対して、ＤＳＤデータが記録されているＤＳＤディスク９０は、スピンドルモータ３１により回転駆動されるように装填される。そしてＤＳＤディスク９０に対しては再生時に光学ヘッド３２によってレーザ光が照射される。
【０１５３】
光学ヘッド３２はレーザ出力を行なった際のディスク９０からの反射光を検出する。このため、光学ヘッド３にはレーザ出力手段としてのレーザダイオード、偏光ビームスプリッタや対物レンズ等からなる光学系、及び反射光を検出するためのディテクタが搭載されている。対物レンズ３２ａは２軸機構３３によってディスク半径方向及びディスクに接離する方向に変位可能に保持されている。
また光学ヘッド３２の全体は、スライド機構３４によりディスク半径方向に移動可能とされている。
【０１５４】
再生動作によって、光学ヘッド３２によりＤＳＤディスク９０から検出された反射光情報はディテクタによって電気信号に変換され、ＲＦアンプ３５に供給される。ＲＦアンプ３５は供給された情報の演算処理により、再生ＲＦ信号、トラッキングエラー信号、フォーカスエラー信号等を抽出する。
抽出された再生ＲＦ信号はＤＳＤデコーダ３８に供給される。また、トラッキングエラー信号、フォーカスエラー信号はサーボ回路３６に供給される。
【０１５５】
サーボ回路３６は、サーボ駆動信号生成回路とそのサーボ駆動信号生成回路によるサーボ駆動信号に基づいてサーボ動作を実行させるサーボドライバからなる。そして、サーボ駆動信号生成回路は供給されたトラッキングエラー信号、フォーカスエラー信号、マイクロコンピュータにより構成されるシステムコントローラ１１からのトラックジャンプ指令、アクセス指令などからフォーカス及びトラッキングサーボ駆動信号を発生させる。サーボドライバはフォーカスサーボ駆動信号及びトラッキングサーボ駆動信号に応じて２軸機構３３のフォーカスコイル、トラッキングコイルに対して電力印加を行なう。
【０１５６】
またサーボ駆動信号生成回路はスライドサーボ駆動信号を発生させ、サーボドライバはそれに応じてスライド機構３４のスライドモータに駆動電力を供給する。さらにサーボ駆動信号生成回路はスピンドルモータ２の回転速度検出情報等によりスピンドルモータ２を一定線速度（ＣＬＶ）に制御するＣＬＶサーボ駆動信号を発生させ、サーボドライバはＣＬＶサーボ駆動信号に応じてスピンドルモータ３１に駆動電力を印加する。
【０１５７】
再生ＲＦ信号はＤＳＤデコーダ８において所定の復調処理として二値化、ＥＦＭプラス復調、エラー訂正デコード等が行なわれ、いわゆるＤＳＤデータ形態にまで復号される。即ちメインデータは２チャンネルもしくは６チャンネルのオーディオデータとして、所定のサンプリング周波数（６４ｆｓ／３２ｆｓ／１２８ｆｓ）の高速１ビットデータとされる。またデコード処理によりサブコードデータも復号される。サブコードデータはシステムコントローラ４１に供給され、各種制御／出力動作に用いられる。
【０１５８】
ＤＳＤデータのメインデータである２チャンネルもしくは６チャンネルのオーディオデータに対しては、デジタルオーディオ処理部３９で所要の処理がされた後、１ビットＤ／Ａ変換器４０でΣΔ変調／１ビットＤ／Ａ変換処理が行なわれ、２チャンネルもしくは６チャンネルのアナログ音声信号とされる。そしてオーディオアンプ４２で増幅され、スピーカアンプその他の音声出力のための回路系に出力される（ＡＵｏｕｔ）。
【０１５９】
このようにＤＳＤディスクから再生出力される音声信号ＡＵｏｕｔは、６４ｆｓなどの非常に高いサンプリング周波数により高音質化が実現されたデジタルデータから復調され、しかもダウンサンプリング／オーバーサンプリングなどのためのフィルタリング処理が介在されないため、音質劣化がなく、著しい高音質化が実現されている。
【０１６０】
ところで、ＲＦアンプ３５からの再生ＲＦ信号は、管理情報デコーダ３７にも供給される。なおこの管理情報デコーダ３７はＤＳＤデコーダ３８と一体化されることが多いが、説明の都合上、別体の回路ブロックとしているものである。
この管理情報デコーダ３７は、ディスク９０から読み出される管理情報のデコードを行なう部位であり、つまり、リードインにおけるコントロールデータやＴＯＣのデータデコードを行なって、そのデータをシステムコントローラ４１に供給する。
【０１６１】
マイクロコンピュータにより構成されるシステムコントローラ４１は再生装置の全体の制御を行なうものであるが、ディスク９０の再生制御に関しては、予めディスク９０に記録されている各種の管理情報を読み込まなければならない。
このため、システムコントローラ４１は、コントロールデータやＴＯＣなどの管理情報を、ディスク９０が装填された際にリードインの再生動作を実行させることによって読み出して内部メモリに記憶しておき、以後そのディスク１に対する再生動作の際に参照できるようにしている。
【０１６２】
実際にＤＶＤの一形態となるＤＳＤディスク９０に対する処理としては、システムコントローラ４１はまずコントロールデータにおけるブックタイプからＤＳＤディスクであるか否かを判別することになる。そしてＤＳＤディスクであると判別された場合は、さらにリードインの所定位置に記録されているＴＯＣの読込を行ない、そのＴＯＣデータを再生管理のために記憶することになる。
【０１６３】
再生動作のためには上述したＴＯＣセクター０により各トラックについてのアドレスを把握できるとともに、ＴＯＣセクター４のデータを取り込むことにより、イントロやサビなどのトラックの一部分のアドレスが把握でき、トラックの一部のみを再生させるパートスキャン再生動作も可能となる。
【０１６４】
操作部５３には、ユーザー操作に供される各種キーが設けられている。例えば再生キー、停止キー、ＡＭＳキー、早送りキー、早戻しキー、特殊再生操作キー等が設けられ、その操作情報はシステムコントローラ４１に供給される。
表示部５２は例えば液晶ディスプレイなどによって構成され、動作状態、トラックナンバ、時間情報等をシステムコントローラ４１の制御に基づいて表示する動作を行なう。
【０１６５】
上述したようにＴＯＣセクター１、セクター３にはトラックネームやディスクネームの情報が記録されているため、システムコントローラ４１は再生するトラックに合わせて表示部５２にトラックネームを表示させることなどの制御が可能となる。
またサブコードデータとして表示に用いる文字／グラフィックなどのデータが付加されていた場合は、システムコントローラ４１は表示部５２に対してＤＳＤデコーダ３８で抽出されるサブコードデータに基づいた表示制御を行なうこともできる。もちろんサブコードデータの形態及び用途に応じて所要の構成がとられることで、再生装置ではさらに多様な動作／制御が可能となる。
さらに上述したＴＯＣセクター２として各トラックの著作権情報が得られるため、システムコントローラ４１はＴＯＣを読み出した時点で、著作権情報に応じた動作制御（例えば特定のトラックの再生禁止など）が可能となる。
【０１６６】
なお、この再生装置はＤＳＤディスクがオーディオデータが記録されているものとして、それに対応する構成を示しているが、ＤＳＤディスクにビデオデータが記録される場合は、ＤＳＤデコーダ３８で抽出されるデータに対するビデオ処理部や、ビデオデータ用の１ビットＤ／Ａ変換器、さらには出力段でのビデオアンプなどが設けられることはいうまでもない。
【０１６７】
ところで以上のような図２２の再生装置はＤＳＤディスクのみに対応できるものであり、次に図２３に通常のＤＶＤにも対応できる再生装置を示す。
なお、図２２と同一機能部位は同一符号を付し、説明を省略する。
【０１６８】
この図２３の場合、再生可能なディスク９０はＤＶＤもしくはＤＳＤディスクとなる。そして、ＤＳＤディスクに対応するために図２２と同一の機能部位が設けられることに加えて、通常のＤＶＤに対応するために、ＤＶＤデコーダ４３、オーディオ処理部４４、Ｄ／Ａ変換器４５、ビデオ処理部４６、Ｄ／Ａ変換器４７が設けられる。そしてＤＶＤとＤＳＤディスクの対応切り換えのためにセレクク４８が設けられる。またＤＶＤビデオ信号の出力のためにビデオアンプ４９が設けられている。
【０１６９】
ディスク９０が装填されたら、システムコントローラ４１はまずリードインにおけるコントロールデータの読出を実行させ、必要なデータを取り込むとともに、ブックタイプからＤＳＤディスクであるか通常のディスクであるか（もしくは後述するＤＳＤ／ＤＶＤ複合ディスクであるか）を判別する。
【０１７０】
ディスク９０がＤＳＤディスクの場合は、システムコントローラ４１はさらにリードインからＴＯＣの読込を行ない、ＴＯＣデータに従って再生動作を実行させる。そしてＤＳＤデコーダ３８、デジタルオーディオ処理部３９、１ビットＤ／Ａ変換器４０の動作により再生音声信号を復調させる。このときセレクタ４８に対しては１ビットＤ／Ａ変換器４０の出力をオーディオアンプ４２に供給させるように制御を行なう。
【０１７１】
ディスク９０がＤＶＤの場合は、システムコントローラ４１は図３、図４の管理形態に従った再生動作制御を行なうことになる。そしてディスクから読み取られた情報（再生ＲＦ信号）についてはＤＶＤデコーダ４３でＭＰＥＧ２方式のデコード処理を実行させ、オーディオデータはオーディオ処理部４４に、またビデオデータはビデオ処理部４６に供給させる。
【０１７２】
オーディオ処理部４４及びビデオ処理部４６で処理されたデータはそれぞれ所定のサンプリング周波数／量子化ビット数とされたＤ／Ａ変換器４５，４７においてアナログオーディオ信号／アナログビデオ信号とされる。
システムコントローラ４１はこのときセレクタ４８に対してはＤ／Ａ変換器４５の出力をオーディオアンプ４２に供給させ、またＤ／Ａ変換器４７の出力をビデオアンプ４９に供給させるように制御を行なう。これによってＤＶＤについても再生可能となる。
【０１７３】
（４−Ｄ）  ６ｃｈデータの記録／再生
ところで上述したようにＤＳＤディスクは２チャンネルだけでなく６チャンネルオーディオデータにも対応される。
この６チャンネルオーディオデータについての記録形態、及び６チャンネルオーディオデータを６チャンネル再生する場合と、６チャンネルオーディオデータを２チャンネル再生する場合について説明する。
【０１７４】
６チャンネルとは、上述したように図２４のような音場に対応するものであるが、本例のＤＳＤディスクでは、この６チャンネルＬ，Ｒ，Ｓ，Ｃ，Ｌｒ，Ｒｒのデータを図２１のようなセクター形態で記録する際に、図２５のような処理を加えるようにしている。
【０１７５】
即ち、Ｌ，Ｒ，Ｌｒ，Ｒｒの各チャンネルのデータに対して増幅処理６１，６２，６３，６４でそれぞれ或るゲインＧを与えるとしたときに、Ｓ，Ｃの２チャンネルに対する増幅処理６５，６６におけるゲインは『 0.7Ｇ』としている。そしてこのようにＳ，Ｃの２チャンネルだけ他のチャンネルに比べてゲインを 0.7倍にしたうえで、エンコード処理６７としてセクターエンコードを行なって図２１のようなデータを生成し、さらに前述した各種処理を加えて記録データストリームＤＴR を形成するようにしている。
つまり、ＤＳＤディスク上でみれば、Ｓ，Ｃの２チャンネルだけ他のチャンネルに比べてゲインが 0.7倍とされた状態でデータが記録される。
【０１７６】
そしてこのように記録された６チャンネルデータを再生する場合は、図２６（ａ）又は（ｂ）のような処理が行なわれることになる。
図２６（ａ）は６チャンネル再生に対応する場合であり、この場合は、ＤＳＤディスクから読み出された読出データＤＴP （＝再生ＲＦ信号）からは、デコード処理７１（図２２、図２３のＤＳＤデコーダ３８の処理に相当）によってＬ，Ｒ，Ｓ，Ｃ，Ｌｒ，Ｒｒの６チャンネルオーディオデータが抽出される。
【０１７７】
ここで、例えば図２２、図２３のデジタルオーディオ処理部３９の処理の一つとして、図２６（ａ）の各チャンネルに対して増幅処理７２，７３，７４，７５，７６，７７が行なわれるが、Ｓ，Ｃの２チャンネルだけ他のチャンネルに比べてゲインが 0.7倍とされた状態で記録されていることに応じて、Ｓ，Ｃの２チャンネルの増幅処理７６，７７では、他のチャンネルの増幅処理７２，７３，７４，７５におけるゲインＧに比べて、ゲインを『 1.4Ｇ』としている。
【０１７８】
従って、増幅処理７２，７３，７４，７５，７６，７７を介して出力される６チャンネルオーディオデータＬout ，Ｒout ，Ｓout ，Ｃout ，Ｌｒout ，Ｒｒout は、それぞれ本来のゲインバランスの６チャンネルオーディオ信号となり、正常な再生が行なわれる。
【０１７９】
６チャンネルで記録されているオーディオデータに関しては、Ｌ，Ｒ２チャンネルのオーディオ信号として再生出力することも可能である。６チャンネル出力の場合は、当然ながら６チャンネルのアンプ及びスピーカシステムという比較的大規模なシステムが必要になり、例えば劇場などでは有効であるが、家庭などでは２チャンネル出力としたほうが良い場合もある。このような事情にあわせて、従来より、６チャンネルデータからＬ，Ｒ２チャンネル信号を生成する方式が考えられていた。
【０１８０】
これは、Ｌ，Ｒの各チャンネル信号を、Ｌ，Ｒ，Ｓ，Ｃ，Ｌｒ，Ｒｒの６チャンネルオーディオデータからの演算処理により生成するものであり、
Ｌ＝Ｌ＋Ｌｒ＋ 0.7Ｓ＋ 0.7Ｃ
Ｒ＝Ｒ＋Ｒｒ＋ 0.7Ｓ＋ 0.7Ｃ
という処理によりＬ，Ｒの各チャンネル信号を生成していた。
【０１８１】
ここで、本例の場合を考えてみるとＳチャンネル、Ｃチャンネルのデータは記録時に、他のチャンネルの 0.7倍のデータとされているものである。従ってＤＳＤディスクから読み出された読出データＤＴP （＝再生ＲＦ信号）に対してデコード処理７１（図２２、図２３のＤＳＤデコーダ３８の処理に相当）によって得られるＬ，Ｒ，Ｓ，Ｃ，Ｌｒ，Ｒｒの各オーディオデータでは、すでに『 0.7Ｓ』『 0.7Ｃ』という演算が行なわれているととらえることができる。
【０１８２】
このため、『Ｌ＝Ｌ＋Ｌｒ＋ 0.7Ｓ＋ 0.7Ｃ』『Ｒ＝Ｒ＋Ｒｒ＋ 0.7Ｓ＋ 0.7Ｃ』という演算でＬ，Ｒチャンネルデータを生成するためには、本例では単に、
Ｌ＝Ｌ＋Ｌｒ＋Ｓ＋Ｃ
Ｒ＝Ｒ＋Ｒｒ＋Ｓ＋Ｃ
というように単純加算すればよく、したがって、Ｌチャンネルについては図２６（ｂ）の加算処理７８を、またＲチャンネルについては加算処理７９を行なえば良いことになる。
【０１８３】
この処理を図２２、図２３のデジタルオーディオ処理部３９の処理とすると（なお、もちろんアナログ変換後のアナログ音声信号処置系で加算を行なうようにしてもよいが）、その処理のための構成は乗算処理が不要であることからきわめて簡単な回路構成とすることができる。
さらに本例の場合、デジタルオーディオ信号は１ビットデータであることから、６チャンネルデータからＬ，Ｒ２チャンネル信号を生成する単純加算処理のための回路構成は、より一層簡易なものとすることができる。
【０１８４】
また上述のように６チャンネル出力の場合は、Ｓチャンネル、Ｃチャンネルのデータについてゲインを他のチャンネルの 1.4倍としなければならないが、これはゲインを変更するのみで回路構成としての複雑化は招かず、従って本例のように６チャンネルデータを２チャンネルデータに変換して出力する場合の構成の簡略化は、全体としての構成の簡略化にもつながる。
【０１８５】
［５］ＤＳＤ／ＤＶＤ複合ディスク
次に、ＤＶＤ物理フォーマットに準拠しながらＴＯＣを有しておりデータエリアに記録される実データとしてＤＳＤデータによるトラックが存在するという意味で、広義でのＤＳＤディスクであるが、図４のディレクトリ構造による通常のＤＶＤデータの記録エリアも有しているという意味でのＤＳＤ／ＤＶＤ複合ディスクについて図２７、図２８で説明する。
【０１８６】
図２７、図２８はＤＳＤ／ＤＶＤ複合ディスクの構造を示している。
まず図２７はシングルレイヤディスクの場合である。
リードインにおけるコントロールデータＣＮＴとしては、その中の物理フォーマット情報内のブックタイプ（図８、図９参照）が『１０１０』とされ、ＤＳＤ／ＤＶＤ複合ディスクであることが示される。さらにリードイン内にＴＯＣが形成されていることになる。
【０１８７】
物理セクターナンバ『０３００００ｈ』からリードアウトの直前（ＬＯ−１）までのデータエリアには、ＤＶＤデータが記録されるエリアと、ＤＳＤデータとしてのトラックＴＫ１〜ＴＫｎ（ｎは最大１００）が記録される。
ＤＶＤデータが記録されるエリアには例えばＦＡＴ（File Alrocation Table ）として示すようにＤＶＤデータファイル管理のための管理情報が設けられ、図３のようなボリューム空間が形成される。
またＤＳＤデータのトラックＴＫ１〜ＴＫｎ関しては、ＴＯＣによって管理される。
【０１８８】
例えば図２３のような再生装置の場合、装填されたディスク９０がＤＳＤ／ＤＶＤ複合ディスクであると判別したら、ユーザーの操作などに応じて、コントロールデータ及びＦＡＴに基づくＤＶＤデータ再生モードと、ＴＯＣに基づくＤＳＤデータトラック再生モードを切り換えるようにすることで、いづれの再生も行なうことができる。
【０１８９】
また、ＤＳＤ／ＤＶＤ複合ディスクとして、ＤＶＤデータの内容とＤＳＤデータの内容を同一内容としておくことも考えられる。例えば特定の１０曲の音楽をＤＶＤデータファイルとして記録するとともに、ＤＳＤデータトラックとしても記録しておく。
【０１９０】
オーディオデータに関していえば、ＤＳＤデータの方が高音質データとなるため、図２２、図２３のようにＤＳＤディスク対応の再生装置では、ＤＳＤデータトラックの再生を行なうようにすることで、高音質な音楽を楽しむことができる。またＤＳＤディスク非対応のＤＶＤ再生装置でも、ＤＶＤファイルから同一の音楽を再生することができる。従って、再生装置に対する互換性を備えたディスクとすることができる。
【０１９１】
図２８はＤＳＤ／ＤＶＤ複合ディスクとしてデュアルレイヤディスクの場合を示しており、図２８（ａ）はパラレルトラックパスの場合を、また図２８（ｂ）はオポジットトラックパスの場合を示している。
【０１９２】
図２８（ａ）のパラレルトラックパスとされる場合は、レイヤ０、レイヤ１は独立に形成される。そして例えばレイヤ０はＤＶＤ、レイヤ１はＤＳＤディスクとして割り当てられる。
【０１９３】
即ちレイヤ０ではリードインにおけるコントロールデータＣＮＴ内のブックタイプが『００００』とされ、通常のＤＶＤディスクであることが示されるとともに、物理セクターナンバ『０３００００ｈ』からレイヤ０のリードアウトの直前（ＬＯ0 −１）までのデータエリアには、ＤＶＤデータとしてのデータファイル及び管理情報（ＦＡＴ）が記録され、図３のようなボリューム空間が形成される。
【０１９４】
一方、レイヤ１ではリードインにおけるコントロールデータＣＮＴ内のブックタイプが『１０００』とされ、ＤＳＤディスクであることが示されるとともに、物理セクターナンバ『０３００００ｈ』からレイヤ１のリードアウトの直前（ＬＯ1 −１）までのデータエリアには、ＤＳＤデータとしてのトラックＴＫ１〜ＴＫｎ（ｎは最大１００）が記録される。
【０１９５】
このようなディスクの場合、例えば図２３のような再生装置では、ユーザーの操作などに応じて、コントロールデータ及びＦＡＴに基づくＤＶＤデータ再生モード（レイヤ０再生）と、ＴＯＣに基づくＤＳＤデータトラック再生モード（レイヤ１再生）を切り換えるようにすることで、いづれの再生も行なうことができる。
【０１９６】
また、ＤＶＤデータ（レイヤ０）の内容とＤＳＤデータ（レイヤ１）の内容を同一内容としておくことで、ＤＳＤディスク対応の再生装置では、レイヤ１の再生を、ＤＳＤディスク非対応のＤＶＤ再生装置ではレイヤ０の再生を行なうようにすればよく、互換性を備えたディスクを提供できる。
【０１９７】
なお、図２８の例ではレイヤ０のコントロールデータのブックタイプを『００００』、レイヤ１のブックタイプを『１０００』としたが、これは、両方ともＤＳＤ／ＤＶＤ複合ディスクを示す『１０１０』とするようにしてもよい。
例えばディアルレイヤのＤＳＤ／ＤＶＤ複合ディスクでは、レイヤ０がＤＶＤ、レイヤ１がＤＳＤなどのように規格化されるような場合には、レイヤ０，１の両方においてブックタイプを『１０１０』として、再生装置が即座にＤＳＤ／ＤＶＤ複合ディスクであると判別できるようにすることが好ましい。
【０１９８】
ＤＳＤ／ＤＶＤ複合ディスクが図２８（ｂ）のオポジットトラックパスにおいて実現される場合は、レイヤ０、レイヤ１はミドルエリアを介して連続した１つのレイヤとみなされるため、その管理形態は図２７のシングルレイヤディスクの場合と大まかに見て同様になる。
【０１９９】
レイヤ０のディスク最内周側となるリードインでは、コントロールデータＣＮＴ内のブックタイプが『１０１０』とされ、ＤＳＤ／ＤＶＤ複合ディスクであることが示されるとともに、ＴＯＣが形成される。
【０２００】
物理セクターナンバ『０３００００ｈ』から、ミドルエリアの通過前後のどちらでもよいが、或る特定の位置（ＤＳST−１）までのデータエリアには、ＤＶＤデータが記録され、またある位置（ＤＳST）からリードアウトの直前（ＬＯ1 −１）までのデータエリアには、ＤＳＤデータとしてのトラックＴＫ１〜ＴＫｎ（ｎは最大１００）が記録される。
ＤＶＤデータが記録されるエリアには例えばＦＡＴ（File Alrocation Table ）として示すようにＤＶＤデータファイル管理のための管理情報が設けられ、図３のようなボリューム空間が形成される。
またＤＳＤデータのトラックＴＫ１〜ＴＫｎ関しては、ＴＯＣによって管理される。
【０２０１】
この場合も、例えば図２３のような再生装置では、装填されたディスク９０がＤＳＤ／ＤＶＤ複合ディスクであると判別したら、ユーザーの操作などに応じて、コントロールデータ及びＦＡＴに基づくＤＶＤデータ再生モードと、ＴＯＣに基づくＤＳＤデータトラック再生モードを切り換えるようにすることで、いづれの再生も行なうことができる。また、ＤＳＤ／ＤＶＤ複合ディスクとして、ＤＶＤデータの内容とＤＳＤデータの内容を同一内容としておくことで、再生装置の種別に対するデータ互換性を備えたディスクとすることができる。
【０２０２】
［６］ＤＳＤ／ＣＤＥＸ複合ディスク
（６−Ａ）  ＣＤＥＸ
次に、ＤＶＤ物理フォーマットに準拠しながらＴＯＣを有しておりデータエリアに記録される実データとしてＤＳＤデータによるトラックが存在するという意味で、広義でのＤＳＤディスクであるが、ＴＯＣに管理されるデータ領域がいわゆるマルチセッションのように領域分割され、ＤＳＤデータによるトラック領域と、ＣＤ−ＲＯＭデータ領域が形成されているという意味でのＤＳＤ／ＣＤＥＸ複合ディスクについて説明する。
【０２０３】
ＤＳＤ／ＣＤＥＸ複合ディスクとは、いわゆるＣＤ−ＥＸＴＲＡにおける第２セッションに記録されるようなＣＤ−ＲＯＭデータ領域を、ＤＳＤディスク内に設けるようにするものである。
ＣＤ−ＥＸＴＲＡにはセッションという概念があり、セッションとはリードイン、プログラムエリア、リードアウトを独立にもつ１組を意味する。そしてこのセッションを複数持つディスクをマルチセッションディスクと呼んでいる。
ＣＤ−ＥＸＴＲＡとしてのディスクのイメージは図２９のようになるが、図示するようにディスク上が第１セッションＭＳＳ１、第２セッションＭＳＳ２と区分されている。それぞれのセッション（ＭＳＳ１，ＭＳＳ２）は、それぞれプログラムエリアとともに独立してリードイン、リードアウトが設けられる。ＣＤ−ＥＸＴＲＡの第１セッションＭＳＳ１には音楽データトラックが記録され、第２セッションＭＳＳ２にはＣＤ−ＲＯＭ：ＸＡデータが記録される。
ＣＤ−ＥＸＴＲＡはこのように２つのセッションを持つためマルチセッションディスクであることになる。
【０２０４】
本例のＤＳＤ／ＣＤＥＸ複合ディスクでは、ＣＤ−ＥＸＴＲＡではセッションという概念で実現していることと同様の機能を、ＤＳＤデータ領域の分割という形式で実現するものである。ただしこのＤＳＤ／ＣＤＥＸ複合ディスクにおけるＤＳＤデータ領域の分割は、セッションという概念では実施しない。即ち分割された各領域が独立してリードイン、リードアウトを持つものではない。従って概念上はマルチセッションディスクとは呼べないが、いわゆるマルチセッションディスク的な動作を実現するものである（本例のＤＳＤ／ＣＤＥＸ複合ディスクの形態を、以下マルチ分割ディスクと呼ぶこととする）。
なお説明上、ＤＳＤ／ＣＤＥＸ複合ディスクにおいて、ＣＤ−ＥＸＴＲＡの第１セッションＭＳＳ１に相当する領域を第１領域ＳＳ１と呼び、また第２セッションＭＳＳ２に相当する領域を第２領域ＳＳ２と呼ぶこととする。そしてＤＳＤ／ＣＤＥＸ複合ディスクでは、例えば第１領域ＳＳ１にＤＳＤデータとしてのトラックを記録し、第２領域ＳＳ２にはＣＤ−ＥＸＴＲＡと同様にＣＤ−ＲＯＭ：ＸＡデータを記録するようにするものである。
【０２０５】
ＣＤ−ＲＯＭデータを記録する第２領域ＳＳ２におけるディレクトリ構造は、例えば図３０のように、ＣＤ−ＥＸＴＲＡのディレクトリ構造とほぼ同様のものとすればよい。
なお、ルートには『AUTORUN.INF 』というファイルと、『CD PLUS 』『PICTURES』というディレクトリが必要である。
【０２０６】
（６−Ｂ）  ＤＳＤ／ＣＤＥＸ複合ディスク例
ＤＳＤ／ＣＤＥＸ複合ディスクとしての構造例を順次説明していく。
例としては、ＤＳＤディスクがマルチ分割ディスクとされたものと、ＤＳＤ／ＤＶＤ複合ディスクにおいてＤＳＤエリアが分割されてマルチ分割ディスクとされたものを説明する。
【０２０７】
図３２はＤＳＤディスクがマルチ分割ディスクとされたものとして、シングルレイヤディスクの場合を示している。
まずリードインにおけるコントロールデータＣＮＴとしては、その中の物理フォーマット情報内のブックタイプ（図８、図９参照）が『１０００』とされ、ＤＳＤディスクであることが示される。さらにリードイン内にＴＯＣが形成されていることになる。
【０２０８】
物理セクターナンバ『０３００００ｈ』から第２領域ＳＳ２の先頭アドレスＥＤＳＡの直前までが第１領域ＳＳ１とされ、ＴＯＣによって管理されるＤＳＤデータとしてのトラックＴＫ１〜ＴＫｎ（ｎは最大１００）が記録される。
第２領域ＳＳ２の先頭アドレスは、ＴＯＣセクター０（図１１参照）において、エクストラデータスタートアドレスＥＤＳＡとして管理されることになる。
【０２０９】
第２領域ＳＳ２では、いわゆるＣＤ−ＲＯＭデータファイルとともに、ＦＡＴとして示すように第２領域ＳＳ２におけるデータファイルの管理のための管理情報が記録されるが、こここでいうＦＡＴとは、ＰＶＤ（プライマリボリュームディスクリプタ）及び図３０のディレクトリ構造内の『INFO.CDP』（即ちデータファイルの再生動作管理のための情報）のことを示している。
そしてＰＶＤは例えば第２領域ＳＳ２におけるセクターアドレス１６、つまり物理セクターナンバとしてＥＤＳＡ＋１６の位置という固定位置に記録される。また『INFO.CDP』は、例えばＥＤＳＡ＋７５の位置という固定位置に記録される。
【０２１０】
図３３はデュアルレイヤディスクの場合を示しており、図３３（ａ）はパラレルトラックパスの場合を、また図３３（ｂ）はオポジットトラックパスの場合を示している。
【０２１１】
図３３（ａ）のパラレルトラックパスとされる場合は、レイヤ０、レイヤ１は独立に形成される。即ちレイヤ０ではリードインにおけるコントロールデータＣＮＴ内のブックタイプが『１０００』とされ、ＤＳＤディスクであることが示されるとともに、リードイン内にＴＯＣが形成される。そしてこのＴＯＣによって管理されることになるＤＳＤデータによるトラックＴＫ１〜ＴＫｎが、レイヤ０の第１領域ＳＳ１に記録される。
【０２１２】
またＴＯＣに記述されたエクストラデータスタートアドレスＥＤＳＡからが第２領域ＳＳ２とされ、いわゆるＣＤ−ＲＯＭデータファイルとともに、その管理情報となるＦＡＴ（ＰＶＤ，及びINFO.CDP）が記録される。ＰＶＤは『ＥＤＳＡ＋１６』という固定位置に、またINFO.CDPは『ＥＤＳＡ＋７５』という固定位置に記録される。
【０２１３】
またレイヤ１も同様に、リードインにおけるコントロールデータＣＮＴ内のブックタイプが『１０００』とされ、ＤＳＤディスクであることが示され、さらにリードイン内にＴＯＣが形成される。そしてこのＴＯＣによって管理されることになる、ＤＳＤデータによるトラックＴＫ１〜ＴＫｎが、レイヤ１の第１領域ＳＳ１に記録される。ＤＳＤデータトラックとしては、各レイヤにおいてそれぞれ最大１００トラックが収録可能となる。
【０２１４】
さらにレイヤ１のＴＯＣに記述されたエクストラデータスタートアドレスＥＤＳＡからがレイヤ１での第２領域ＳＳ２とされ、いわゆるＣＤ−ＲＯＭデータファイルとともに、その管理情報となるＦＡＴ（ＰＶＤ，及びINFO.CDP）が記録される。ＰＶＤは『ＥＤＳＡ＋１６』という固定位置に、またINFO.CDPは『ＥＤＳＡ＋７５』という固定位置に記録される。
【０２１５】
図３３（ｂ）のオポジットトラックパスとされる場合は、レイヤ０、レイヤ１はミドルエリアを介して連続した１つのレイヤとみなされる。
そしてレイヤ０のディスク最内周側となるリードインでは、コントロールデータＣＮＴ内のブックタイプが『１０００』とされ、ＤＳＤディスクであることが示されるとともに、ＴＯＣが形成される。そしてこのＴＯＣによって管理されることになるＤＳＤデータによるトラックＴＫ１〜ＴＫｎ（ｎは最大１００）が第１領域ＳＳ１に記録される。第１領域ＳＳ１と第２領域ＳＳ２の境界は例えばミドルエリアとして、レイヤ０を第１領域ＳＳ１、レイヤ１を第２領域ＳＳ２としてもよいが、図示するようにミドルエリアの通過前後の所要位置を境界としてもよい。
いずれにしても、境界、即ち第２領域ＳＳ２の開始位置は、ＴＯＣセクター０におけるエクストラデータスタートアドレスＥＤＳＡに示された位置となる。
【０２１６】
そしてエクストラデータスタートアドレスＥＤＳＡからリードアウト直前までが第２領域ＳＳ２とされ、いわゆるＣＤ−ＲＯＭデータファイルとともに、その管理情報となるＦＡＴ（ＰＶＤ，及びINFO.CDP）が記録される。ＰＶＤは『ＥＤＳＡ＋１６』という固定位置に、またINFO.CDPは『ＥＤＳＡ＋７５』という固定位置に記録される。
【０２１７】
次に図３４は、ＤＳＤ／ＤＶＤ複合ディスクにおいてＤＳＤエリアが分割されてマルチ分割ディスクとされたものとして、シングルレイヤディスクの場合を示している。
リードインにおけるコントロールデータＣＮＴとしては、その中の物理フォーマット情報内のブックタイプが『１０１０』とされ、ＤＳＤ／ＤＶＤ複合ディスクであることが示される。さらにリードイン内にＴＯＣが形成されていることになる。
【０２１８】
物理セクターナンバ『０３００００ｈ』から或るアドレスＤＳSTの直前までのデータエリアには、ＤＶＤデータが記録されるエリアとされ、ＤＶＤデータファイルとともに、ＦＡＴとして示すＤＶＤデータファイル管理のための管理情報が設けられ、図３のようなボリューム空間が形成される。
【０２１９】
また或るアドレスＤＳSTからはＴＯＣによる管理領域となり、第１領域ＳＳ１においてＤＳＤデータとしてのトラックＴＫ１〜ＴＫｎ（ｎは最大１００）が記録される。さらに、ＴＯＣセクター０におけるエクストラデータスタートアドレスＥＤＳＡに示された位置からリードアウト直前までが第２領域ＳＳ２とされ、いわゆるＣＤ−ＲＯＭデータファイルとともに、その管理情報となるＦＡＴ（ＰＶＤ，及びINFO.CDP）が記録される。ＰＶＤは『ＥＤＳＡ＋１６』という固定位置に、またINFO.CDPは『ＥＤＳＡ＋７５』という固定位置に記録される。
【０２２０】
図３５はＤＳＤ／ＤＶＤ複合ディスクにおいてさらにＤＳＤ領域が分割されマルチ分割ディスクとされた、デュアルレイヤディスクの場合を示しており、図３５（ａ）はパラレルトラックパスの場合を、また図３５（ｂ）はオポジットトラックパスの場合を示している。
【０２２１】
図３５（ａ）のパラレルトラックパスとされる場合は、レイヤ０、レイヤ１は独立に形成されるが、この例の場合はレイヤ０はＤＶＤ、レイヤ１はＤＳＤディスクとして割り当てられるものとしている。
【０２２２】
前述した図２８（ａ）と同様に、レイヤ０ではリードインにおけるコントロールデータＣＮＴ内のブックタイプが『００００』（もしくは『１０１０』）とされるとともに、物理セクターナンバ『０３００００ｈ』からレイヤ０のリードアウトの直前（ＬＯ0 −１）までのデータエリアには、ＤＶＤデータとしてのデータファイル及び管理情報（ＦＡＴ）が記録され、図３のようなボリューム空間が形成される。
【０２２３】
一方、レイヤ１ではリードインにおけるコントロールデータＣＮＴ内のブックタイプが『１０００』（もしくは『１０１０』）とされるとともに、物理セクターナンバ『０３００００ｈ』からレイヤ１のリードアウトの直前（ＬＯ1 −１）までのデータエリアがＤＳＤディスクとしてのエリアとされるが、このレイヤ１について、マルチ分割ディスクとしての分割が行なわれている。
【０２２４】
即ちレイヤ１の物理セクターナンバ『０３００００ｈ』からの第１領域ＳＳ１においてＴＯＣによって直接管理されるトラックＴＫ１〜ＴＫｎ（ｎは最大１００）が記録され、さらに、ＴＯＣセクター０におけるエクストラデータスタートアドレスＥＤＳＡに示された位置からリードアウト直前までが第２領域ＳＳ２とされて、いわゆるＣＤ−ＲＯＭデータファイルとともに、その管理情報となるＦＡＴ（ＰＶＤ，及びINFO.CDP）が記録される。
ＰＶＤは『ＥＤＳＡ＋１６』という固定位置に、またINFO.CDPは『ＥＤＳＡ＋７５』という固定位置に記録される。
【０２２５】
図３５（ｂ）のオポジットトラックパスの場合は、レイヤ０、レイヤ１はミドルエリアを介して連続した１つのレイヤとみなされるため、その管理形態は図３４のシングルレイヤディスクの場合と大まかに見て同様になる。
【０２２６】
レイヤ０のディスク最内周側となるリードインでは、コントロールデータＣＮＴ内のブックタイプが『１０１０』とされ、ＤＳＤ／ＤＶＤ複合ディスクであることが示されるとともに、ＴＯＣが形成される。ＴＯＣにはエクストラデータスタートアドレスＥＤＳＡが記述される。
【０２２７】
物理セクターナンバ『０３００００ｈ』から、ミドルエリアの通過前後のどちらでもよいが、或る特定の位置（ＤＳST−１）までのデータエリアには、ＤＶＤデータが記録される。ＤＶＤデータが記録されるエリアにはＦＡＴとして示すようにＤＶＤデータファイル管理のための管理情報が設けられ、図３のようなボリューム空間が形成される。
【０２２８】
また或る位置（ＤＳST）からリードアウトの直前（ＬＯ1 −１）までのデータエリアは、ＤＳＤディスク領域とされるが、エクストラデータスタートアドレスＥＤＳＡを境界として第１領域ＳＳ１と第２領域ＳＳ２に分けられる。
【０２２９】
第１領域ＳＳ１にはＴＯＣによって直接管理されるＤＳＤデータとしてのトラックＴＫ１〜ＴＫｎ（ｎは最大１００）が記録される。
第２領域ＳＳ２にはＣＤ−ＲＯＭデータファイルとともに、その管理情報となるＦＡＴ（ＰＶＤ，及びINFO.CDP）が記録される。ＰＶＤは『ＥＤＳＡ＋１６』という固定位置に、またINFO.CDPは『ＥＤＳＡ＋７５』という固定位置に記録される。
【０２３０】
ＤＳＤ／ＣＤＥＸ複合ディスクとしての構造例として以上の６つの例をあげたが、これらのように、ＤＳＤディスクとしての領域が分割されてマルチ分割ディスクとされ、エキストラデータ領域が形成される。その第２領域ＳＳ２の位置（ＥＤＳＡ）はＴＯＣによって管理されることになる。
従ってＴＯＣセクター０におけるエクストラデータスタートアドレスＥＤＳＡが『００００００ｈ』ではなく、具体的な有効値が記録されていれば、そのディスクはＤＳＤ／ＣＤＥＸ複合ディスクと判別できる。
【０２３１】
また第２領域ＳＳ２において、再生管理として必要なＰＶＤ及びINFO.CDPは、エクストラデータスタートアドレスＥＤＳＡを基準とした固定位置に記録されているようにしたため、第２領域ＳＳ２に対する再生装置のアクセスは複雑なアドレス算出等を必要とせず、非常に容易なものとなる。
【０２３２】
（６−Ｃ）  ＤＳＤ／ＣＤＥＸ複合ディスク再生装置
上記のような、ＤＳＤ／ＣＤＥＸ複合ディスクに対応できる再生装置の構成を図３１に示す。なお、図２２，図２３の再生装置と同一機能部位は同一符号を付し、説明を省略する。
【０２３３】
この図３１の場合、再生可能なディスク９０はＤＶＤもしくはＤＳＤディスクとなる。そして、ＤＳＤディスクに対応するために図２２と同一の機能部位が、また、ＤＶＤに対応するために図２３で説明した部位が設けられることに加えて、ＤＳＤ／ＣＤＥＸ複合ディスクに対応するためにＣＤ−ＲＯＭデコーダ５０及びＳＣＳＩコントローラ５１が設けられる。ＳＣＳＩコントローラ５１はホストコンピュータとのインターフェースコントロールを行なう部位となる。
【０２３４】
ディスク９０が装填されたら、システムコントローラ４１はまずリードインにおけるコントロールデータの読出を実行させ、必要なデータを取り込むとともに、ブックタイプからＤＳＤディスクであるか通常のディスクであるか（もしくは後述するＤＳＤ／ＤＶＤ複合ディスクであるか）を判別する。ディスク９０がＤＳＤディスクの場合は、システムコントローラ４１はさらにリードインからＴＯＣの読込を行なう。
【０２３５】
ディスク９０がＤＳＤディスクの場合であって、さらに上述してきたマルチ分割ディスクであった場合は、第１領域ＳＳ１の再生モードと第２領域ＳＳ２の再生モードとを選択して再生操作を実行することになる。例えば操作部５３からの通常の再生操作では第１領域ＳＳ１の再生モードとし、一方接続された外部のホストコンピュータからの再生要求に対応する場合は第２領域ＳＳ２の再生モードとするなどの制御を行なってもよい。
【０２３６】
第１領域ＳＳ１の再生モードの場合は、システムコントローラ４１はＴＯＣデータに従って再生動作を実行させる。そしてＤＳＤデコーダ３８、デジタルオーディオ処理部３９、１ビットＤ／Ａ変換器４０の動作により再生音声信号を復調させる。このときセレクタ４８に対しては１ビットＤ／Ａ変換器４０の出力をオーディオアンプ４２に供給させるように制御を行なう。
【０２３７】
第２領域ＳＳ２の再生モードの場合は、システムコントローラ４１はＴＯＣに記述されたエクストラデータスタートアドレスＥＤＳＡを参照し、その位置を基準として固定位置に記録されている、ＰＶＤ及びINFO.CDPのアクセスを行なわせる。そして図３０のディレクトリ構造に応じて再生動作制御を行なう。
ディスクから読み取られた情報（再生ＲＦ信号）についてはＣＤ−ＲＯＭデコーダ５０でのデコード処理を実行させ、デコードされたデータをＳＣＳＩコントローラ５１に供給させる。ＳＣＳＩコントローラ５１はホストコンピュータに対してディスク９０から読み出されたデータを送信出力することになる。
【０２３８】
このような再生装置により、ＤＳＤ／ＣＤＥＸ複合ディスクに対応でき、ディスクの使用形態を大きく広げることができる。
【０２３９】
［７］変形例
以上実施の形態としてのディスク及び再生装置について説明してきたが、本発明はこれ以外にも各種変形例が考えられる。
【０２４０】
例えばブックタイプのデータとして、ＤＳＤディスクは『１０００』、ＤＳＤ／ＤＶＤ複合ディスクは『１０１０』としたが、これは一例であり、他の値に設定されてもよい。その他の管理情報内の具体的なデータも同様である。
【０２４１】
ブックタイプのデータとして、より好ましくは、ディスク種別の定義として上述した▲１▼ＤＶＤ，▲２▼ＤＳＤディスク，▲３▼ＤＳＤ／ＤＶＤ複合ディスク，▲４▼ＤＳＤ／ＣＤＥＸ複合ディスクの識別ができること、さらにはＤＳＤ／ＣＤＥＸ複合ディスクとして説明したがＤＳＤ／ＤＶＤ複合ディスクがマルチ分割ディスクとされたもの（▲５▼ＤＳＤ／ＤＶＤ／ＣＤＥＸ複合ディスク）の５種類を判別できるコード体系とすることが考えられる。
【０２４２】
従って例えばブックタイプデータとして、▲１▼ＤＶＤは『００００』，▲２▼ＤＳＤディスクは『１０００』，▲３▼ＤＳＤ／ＤＶＤ複合ディスクは『１０１０』，▲４▼ＤＳＤ／ＣＤＥＸ複合ディスクは『１１００』，▲５▼ＤＳＤ／ＤＶＤ／ＣＤＥＸ複合ディスクは『１１１０』というような定義を行なうことも考えられる（もちろん実際のブックタイプの値は一例である）。
【０２４３】
さらに、シングルレイヤ、デュアルレイヤのオポジットトラックパス、デュアルレイヤのパラレルトラックパス、の種別も識別できるようなブックタイプのコード体系を構築してもよい。
特に図２８（ａ）、図３５（ａ）のようなデュアルレイヤのパラレルトラックパスであって、一方のレイヤがＤＶＤデータ、他方のレイヤがＤＳＤデータの場合などは、一方のレイヤのブックタイプを読み込んだ際に、他方のレイヤの種別がわかるようにしておくと好適である。
【０２４４】
また本例のディスクの構造として、図１７、図１８、図２７、図２８、図３２、図３３、図３４、図３５に各例をあげたが、これ以外の構造をもつものも考えられる。例えばＤＳＤ／ＤＶＤ複合ディスクとして図２８（ａ）のパラレルトラックパスの場合、各レイヤにＤＳＤ領域とＤＶＤ領域が混在するような形態も考えられる。
【０２４５】
さらに、再生装置の例として図２２、図２３、図３１をあげたが、特にＤＳＤディスクとＤＶＤの両方に対応できる再生装置、即ち図２３又は図３１のタイプの再生装置の場合は、図３６、図３７のような変形例が考えられる。
【０２４６】
図３６は図２３の再生装置の変形例であり、同一部分は同一符号を付している。この場合、ＤＶＤデコーダ４３から得られるＤＶＤオーディオデータに対応するＤ／Ａ変換器（図２３のＤ／Ａ変換器４５）を設けず、ＤＶＤオーディオデータについても、ＤＳＤオーディオデータ用の１ビットＤ／Ａ変換器４０を共用できるようにしているものである。
【０２４７】
このためオーディオ処理部４４の出力はデシメーションフィルタ５４により１ビットデジタルデータとしてから１ビットＤ／Ａ変換器４０に供給する。
なお、ＤＳＤデータのサンプリング周波数（６４ｆｓ／３２ｆｓ／１２８ｆｓ）におけるｆｓは44.1KHz であり、一方ＤＶＤでは例えば48KHz であるので、ＤＶＤデータの再生時とＤＳＤデータの再生時とで、１ビットＤ／Ａ変換器４０における基本クロックの切り換えが必要になる。従ってシステムコントローラ４１は再生動作に応じて基本クロック切換制御を行なうことになる。
【０２４８】
図３７は図３１の再生装置の変形例であり、同一部分は同一符号を付している。この場合も、ＤＶＤデコーダ４３から得られるＤＶＤオーディオデータに対応するＤ／Ａ変換器（図３１のＤ／Ａ変換器４５）を設けず、ＤＶＤオーディオデータについても、ＤＳＤオーディオデータ用の１ビットＤ／Ａ変換器４０を共用できるようにしているものであり、上記図３６の場合と同様である。
この図３６、図３７のように１ビットＤ／Ａ変換器４０を共用することで、再生装置の回路構成の簡略化が実現される。
【０２４９】
【発明の効果】
以上の説明から理解されるように、本発明の記録媒体及び再生装置では、次のような各種効果が得られ、これに非常に有用な記録媒体及び再生装置が実現できるものである。
【０２５０】
記録媒体として、物理フォーマット管理情報に、第１のデータフォーマットとは異なる第２のデータフォーマットのデータが記録されたことを示す識別データが記録されるとともに、物理フォーマット管理情報に準拠して第２のデータフォーマットのデータがデータエリアに記録され、さらにこの第２のデータフォーマットのデータの再生動作管理を行なうための第２のデータ管理情報が所定位置に記録されるようにすることで、第１のフォーマットに適合したうえで異なるデータフォーマットのデータを記録した記録媒体を実現でき、例えば高音質データの記録に適用するなど、特定の物理フォーマットを有する記録媒体を柔軟に対応させることができるという効果がある。
特に第２の管理情報（ＴＯＣ）を定義することで、記録媒体上に第２のデータフォーマットのデータを直接展開できることになり、アクセスも容易となる。
【０２５１】
また第２のデータ管理情報はリードインエリア内に記録されるようにすることで、第２のデータ管理情報へのアクセスも容易となる。
【０２５２】
さらに、データエリアには、第１のデータフォーマットのデータ及び第１のデータ管理情報が記録された領域と、少なくとも第２のデータフォーマットのデータが記録された領域の両方が設けられているとともに、物理フォーマット管理情報には、第１のデータフォーマットと第２のデータフォーマットのデータの両方が記録された記録媒体であることを示す識別データが記録されていることにより、複合記録媒体を実現し、記録媒体の用途の拡大や、互換性の向上を実現できるという効果がある。
【０２５３】
第２のデータ管理情報には、第２のデータフォーマットのデータについて、そのデータ単位（トラック）毎の記録位置情報が記録されていることで、トラック単位のアクセスは任意かつ自在に可能となる。
【０２５４】
第２のデータ管理情報には、第２のデータフォーマットのデータの各データ単位（トラック）毎に対応した付加情報、例えば文字情報や著作権情報などを記録することにより、収録されたデータ単位のそれぞれに関する多様な情報を付加した記録媒体を実現できる。
【０２５５】
第２のデータ管理情報には、第２のデータフォーマットのデータの各データ単位（トラック）のそれぞれに対応して、その一部のみの記録位置情報を記録しておくことで、一部再生のような特殊動作の便宜に供することができる。
【０２５６】
第２のデータ管理情報は、第２のデータフォーマットのデータについて、最高１００個のデータ単位の管理が可能となるように形成することで、商品企画として便利な形態を実現している。例えば『百人一首』や『ベスト１００曲』などのようなものの電子出版形態に好適である。
【０２５７】
第２のデータ管理情報には、第１及び第２のデータフォーマットとは異なる第３のデータフォーマットのデータが記録された領域の位置情報が記録されるとともに、データエリアには、第３のデータフォーマットのデータ、及びそのデータの再生動作管理を行なう第３のデータ管理情報が記録されているようにすることで、上述したマルチ分割ディスクのような、いわゆるマルチセッションと呼ばれるものと同等の記録媒体を実現でき、本発明の記録媒体の使用形態をより広げることができる。
特に第２の管理情報内に簡易なテキストデータを記録し、第３のデータフォーマットのデータとして容量的に大きなテキストデータを付加するなどの使い分けもできる。
【０２５８】
そして第３のデータ管理情報は、第２のデータ管理情報に記録されている第３のデータフォーマットのデータが記録された領域の位置情報に示される位置を基準とした、特定位置に記録されているようにすることで、マルチセッションと同等の機能を持つ記録媒体とした場合に、その第２領域に対するアクセスが非常に容易になるという効果が得られる。
【０２５９】
本発明の記録媒体として、第２のデータフォーマットのデータは、ΔΣ変調された１ビットオーディオ信号としてのデータとすることで、特定の物理フォーマットの記録媒体において、より高音質化を実現したデータ記録を実現できる。特に、オーバーサンプリング、ダウンサンプリングなどを行なわず、高速１ビットオーディオ信号としてのデータを記録することは、フィルタリングによる音質劣化も発生しないことになる。さらにオーバーサンプリング、ダウンサンプリングを行なわないことで、高音質化を実現しながら、これに対応する記録装置、再生装置の構成の簡略化を実現できる。
【０２６０】
また少なくとも第２のデータフォーマットのデータは、セクター構成がとられているとともに、このセクターには、ΔΣ変調された１ビットオーディオ信号に割り当てられるメインデータ領域と、サブデータに割り当てられるサブデータ領域が含まれるように設定することで、サブデータを１ビットオーディオ信号というメインデータと対応づけたり、もしくは無関係に用いることができ、記録媒体に収録するメインデータに対して多様な付加情報を与えたり、もしくはメインデータと独立して用いることで、多様な情報提供を実現できる。
【０２６１】
またセクターには２０４８バイトのデータ領域が形成されているとともに、そのうちでメインデータ領域は２０１６バイト、サブデータ領域は３２バイトとしている。
そして第２のデータフォーマットのデータであるΔΣ変調された１ビットオーディオ信号は２チャンネルオーディオデータとされ、各チャンネルデータは８ビット毎に交互に、記録セクター内の２０１６バイトのデータとして割り当てられるようにする。もしくは、第２のデータフォーマットのデータであるΔΣ変調された１ビットオーディオ信号は、６チャンネルオーディオデータとされ、各チャンネルデータは８ビット毎に所定の順番に、記録セクター内の前記２０１６バイトのデータとして割り当てられるようにする。
【０２６２】
これにより、サブコードの転送速度は現行のＣＤ−ＤＡにおける７２００バイト／秒を上回るものとなっており、２チャンネル・６チャンネルいづれの場合も、サブコードデータによる機能をＣＤ−ＤＡ以上に発揮できる可能性が実現される。さらに、２チャンネル・６チャンネルいづれの場合も１セクター単位で完結することになり、２チャンネルで１秒＝３５０セクター、６チャンネルで１秒＝５２５セクターとなるため、再生時のセクター単位の頭だし精度は現行のＣＤ−ＤＡの１秒＝７５フレームでの精度に比べて高精度なものとなる。
【０２６３】
また、第２のデータフォーマットのデータであるΔΣ変調された１ビットオーディオ信号としての６チャンネルオーディオデータは、６チャンネルのうちの複数の特定のチャンネルに相当するデータについては、その他のチャンネルに相当するデータとは異なる所定ゲインが与えられた値とされていることで、再生時にチャンネル数変換処理に便利なものとなる。
【０２６４】
再生装置としては、装填された記録媒体に対して情報読出動作を実行できる読出手段と、読出手段によって装填された記録媒体から読み出される物理フォーマット管理情報から、第２のデータフォーマットのデータが記録されているか否かを判別する判別手段と、判別手段によって第２のデータフォーマットのデータが記録されていると判別された場合は、読出手段に第２のデータ管理情報の読出を実行させ、第２のデータ管理情報を取り込むとともに、この第２のデータ管理情報に基づいて読出手段に第２のデータフォーマットのデータの読出動作を実行させることのできる再生制御手段と、読出手段により読み出された第２のデータフォーマットのデータのデコードを行なう第２フォーマット対応デコード手段とを備えるようにしている。これにより第１のフォーマットに適合したうえで、それと異なる第２のデータフォーマットのデータを記録した記録媒体に対応して再生動作を行なうことができる。また、第２のデータ管理情報から直接第２のデータフォーマットのデータをアクセスすることで、そのデータアクセスは第１のフォーマットでの方式に依存せず、簡易かつ迅速に行なうことができる。
また第２のデータ管理情報を参照してアクセスを行なうことで、回路構成的にも簡易なものとすることができる。
【０２６５】
また第２のデータ管理情報がリードインに設けられている記録媒体に対して、再生制御手段は、読出手段に、記録媒体のリードインエリア内の特定位置に記録されている第２のデータ管理情報の読出を実行させるようにしておくことで、第２のデータ管理情報のアクセス動作も効率化できる。
【０２６６】
再生制御手段は、判別手段によって第１のデータフォーマットのデータが記録されていると判別された場合に、読出手段に読み出される第１のデータ管理情報に基づいて読出手段に第１のデータフォーマットのデータの読出を実行させることができるようにする。そして読出手段により読み出された第１のデータフォーマットのデータのデコードを行なう第１フォーマット対応デコード手段を備えるようにすることで、本来の第１のデータフォーマットのデータが記録された記録媒体や、第１のデータフォーマットのデータと第２のデータフォーマットのデータの両方が記録された複合記録媒体についても完全に適応できることになる。
【０２６７】
再生制御手段は、第２のデータ管理情報に記録されているデータ単位毎の記録位置情報に応じて、第２のデータフォーマットのデータについて、そのデータ単位毎の読出動作を読出手段に実行させることにより、効率的なアクセスが実現される。
【０２６８】
表示部などの情報提示出力手段を備え、再生制御手段は、第２のデータ管理情報において各データ単位毎に対応して記録されている付加情報を、情報提示出力手段から出力させることで、ユーザーに対する多様な情報提供を実現できる。
【０２６９】
再生制御手段は、第２のデータ管理情報に記録されている、第２のデータフォーマットのデータの各データ単位のそれぞれの一部のみの記録位置情報に応じて、読出手段に、所要のデータ単位の一部のデータ読出動作を実行させることで、例えばイントロ再生、サビ再生等を簡易かつ正確に行なうことができる。
【０２７０】
再生制御手段は、取り込んだ第２のデータ管理情報において第３のデータフォーマットのデータが記録された領域の位置情報が記録されていた場合は、その位置情報に基づいて、読出手段に、第３のデータフォーマットのデータの再生動作管理を行なう第３のデータ管理情報の読出を実行させ、さらにその第３のデータ管理情報に基づいて読出手段に第３のデータフォーマットのデータの読出を実行させることができるようにする。そして第３のデータフォーマットのデータのデコードを行なう第３フォーマット対応デコード手段も備えるようにする。これにより、上述のマルチ分割ディスクのようにいわゆるマルチセッションと同等の機能を持つ本発明の記録媒体に対応して再生動作を行なうことができる。
【０２７１】
第３のデータ管理情報の読出のために、再生制御手段は、読出手段に、第２のデータ管理情報に記録されている第３のデータフォーマットのデータが記録された領域の位置情報に示される位置を基準とした特定位置の読出を実行させるという制御を行なうことで、そのアクセスには複雑なアドレス計算は必要なく、迅速かつ簡易なアクセス動作が実現される。
【０２７２】
第２フォーマット対応デコード手段は、ΔΣ変調された１ビットオーディオ信号としてのデータに対するデコーダとし、オーバーサンプリングを行なわない方式のものとすることで、オーバーサンプリングフィルタは不要となりデコーダは簡易な回路構成でよいものとなる。
【０２７３】
第２のデータフォーマットのデータは、セクター構成がとられているとともに、このセクターには、ΔΣ変調された１ビットオーディオ信号に割り当てられるメインデータ領域と、サブデータに割り当てられるサブデータ領域が含まれるように設定されおり、第２フォーマット対応デコード手段は、セクターのサブデータ領域に記録されたサブデータのデコーダを有していることにより、サブデータの抽出及びその利用が可能となり、情報出力形態や制御形態の可能性を広げることができる。
【０２７４】
第２フォーマット対応デコード手段は、デコード処理により２チャンネルオーディオ信号の出力を行なうことができるとともに、読出手段によって６チャンネルオーディオデータが読み出された場合は、６チャンネルデータについて同一ゲイン状態で、所要チャンネルデータの加算処理を行なって２チャンネルとなる各チャンネルのデータを形成することで、６チャンネルから２チャンネルへの変換回路系はきわめて簡単な構成とすることができる。
特にΔΣ変調された１ビットオーディオ信号を対象とすることで、非常に簡易な構成の１ビット加算回路で変換回路系を構築でき、さらなる回路の簡略化を実現できる。
【０２７５】
また第２フォーマット対応デコード手段は、デコード処理により６チャンネルオーディオ信号の出力を行なうことができるとともに、６チャンネルオーディオデータのうち、複数の特定のチャンネルに相当するデータについては、その他のチャンネルに相当するデータとは異なる所定ゲインを与えたうえで、６チャンネルオーディオ信号の出力を行なうことで、適正な６チャンネル出力を行なうとともに、回路構成の複雑化は生じない。
【図面の簡単な説明】
【図１】本発明の実施の形態で用いるＤＶＤの構造の説明図である。
【図２】実施の形態のＤＶＤのセクター構造の説明図である。
【図３】実施の形態のＤＶＤのボリューム空間の説明図である。
【図４】実施の形態のＤＶＤのディレクトリ構造の説明図である。
【図５】実施の形態のレイヤ構成及びトラックパスの説明図である。
【図６】実施の形態のセクターフォーマットの説明図である。
【図７】実施の形態のセクターフォーマットの説明図である。
【図８】実施の形態のコントロールデータの説明図である。
【図９】実施の形態のコントロールデータの物理フォーマット情報の説明図である。
【図１０】実施の形態のＤＳＤディスクのＴＯＣの説明図である。
【図１１】実施の形態のＴＯＣセクター０の説明図である。
【図１２】実施の形態のＴＯＣセクター１の説明図である。
【図１３】実施の形態のＴＯＣセクター２の説明図である。
【図１４】実施の形態のＴＯＣセクター３の説明図である。
【図１５】実施の形態のＴＯＣセクター４の説明図である。
【図１６】実施の形態のＤＳＤデータの説明図である。
【図１７】実施の形態のシングルレイヤのＤＳＤディスクの説明図である。
【図１８】実施の形態のデュアルレイヤのＤＳＤディスクの説明図である。
【図１９】実施の形態のＤＳＤディスクのデータセクターの説明図である。
【図２０】実施の形態の２チャンネルモードのデータセクターの説明図である。
【図２１】実施の形態の６チャンネルモードのデータセクターの説明図である。
【図２２】実施の形態のＤＳＤ対応の再生装置のブロック図である。
【図２３】実施の形態のＤＳＤ及びＤＶＤ対応の再生装置のブロック図である。
【図２４】６チャンネルオーディオの説明図である。
【図２５】実施の形態の６チャンネルデータ記録処理の説明図である。
【図２６】実施の形態の６チャンネルデータの再生処理の説明図である。
【図２７】実施の形態のシングルレイヤのＤＳＤ／ＤＶＤ複合ディスクの説明図である。
【図２８】実施の形態のデュアルレイヤのＤＳＤ／ＤＶＤ複合ディスクの説明図である。
【図２９】マルチセッションディスクのイメージの説明図である。
【図３０】実施の形態のＤＳＤ／ＣＤＥＸ複合ディスクのディレクトリ構造の説明図である。
【図３１】実施の形態のＤＳＤ／ＣＤＥＸ複合ディスク対応の再生装置のブロック図である。
【図３２】実施の形態のシングルレイヤのＤＳＤ／ＣＤＥＸ複合ディスクの説明図である。
【図３３】実施の形態のデュアルレイヤのＤＳＤ／ＣＤＥＸ複合ディスクの説明図である。
【図３４】実施の形態のシングルレイヤのＤＳＤ／ＣＤＥＸ／ＤＶＤ複合ディスクの説明図である。
【図３５】実施の形態のデュアルレイヤのＤＳＤ／ＣＤＥＸ／ＤＶＤ複合ディスクの説明図である。
【図３６】実施の形態のＤＳＤ及びＤＶＤ対応の再生装置の変形例のブロック図である。
【図３７】実施の形態のＤＳＤ／ＣＤＥＸ複合ディスク対応の再生装置の変形例のブロック図である。
【符号の説明】
３２  光学ヘッド、３８  ＤＳＤデコーダ、３９  デジタルオーディオ処理部、４０  １ビットＤ／Ａ変換器、４１  システムコントローラ、４２  オーディオアンプ、４３  ＤＶＤデコーダ、４４  オーディオ処理部、４５，４７  Ｄ／Ａ変換器、４６  ビデオ処理部、４８  セレクタ、４９  ビデオアンプ、５０  ＣＤ−ＲＯＭデコーダ、５１  ＳＣＳＩコントローラ、５２  表示部、５３  操作部、９０  ディスク
【図１】
0003707137.tif 000003
【図２】
0003707137.tif 000004
【図３】
0003707137.tif 000005
【図４】
0003707137.tif 000006
【図５】
0003707137.tif 000007
【図６】
0003707137.tif 000008
【図７】
0003707137.tif 000009
【図８】
0003707137.tif 000010
【図９】
0003707137.tif 000011
【図１０】
0003707137.tif 000012
【図１１】
0003707137.tif 000013
【図１２】
0003707137.tif 000014
【図１３】
0003707137.tif 000015
【図１４】
0003707137.tif 000016
【図１５】
0003707137.tif 000017
【図１６】
0003707137.tif 000018
【図１７】
0003707137.tif 000019
【図１８】
0003707137.tif 000020
【図１９】
0003707137.tif 000021
【図２０】
0003707137.tif 000022
【図２１】
0003707137.tif 000023
【図２２】
0003707137.tif 000024
【図２３】
0003707137.tif 000025
【図２４】
0003707137.tif 000026
【図２５】
0003707137.tif 000027
【図２６】
0003707137.tif 000028
【図２７】
0003707137.tif 000029
【図２８】
0003707137.tif 000030
【図２９】
0003707137.tif 000031
【図３０】
0003707137.tif 000032
【図３１】
0003707137.tif 000033
【図３２】
0003707137.tif 000034
【図３３】
0003707137.tif 000035
【図３４】
0003707137.tif 000036
【図３５】
0003707137.tif 000037
【図３６】
0003707137.tif 000038
【図３７】
0003707137.tif 000039